(57)【要約】  本発明の実施形態は、異なるタイプの情報のカバレッジを改善するためのダウンリンク伝送方法、装置、およびシステムを提供する。当該方法は、無線フレームを決定する段階であって、無線フレームは、第１のサブフレーム、第２のサブフレーム、および第３のサブフレームのうちの少なくとも２つを有し、第１のサブフレームは第１のシンボルを含み、第２のサブフレームは第２のシンボルを有し、第３のサブフレームは第１のシンボルおよび第２のシンボルを有し、第１のシンボルの帯域幅は第１の帯域幅であり、第２のシンボルの帯域幅は第２の帯域幅であり、第１の帯域幅は第２の帯域幅より小さい、段階と、無線フレームに基づいてダウンリンク伝送を行う段階とを備える。上述の説明から、無線フレームは、比較的小さい帯域幅を有する第１のシンボルと、比較的大きい帯域幅を有する第２のシンボルとの両方を含むことが分かるであろう。したがって、本発明の実施形態の解決手段においては、異なるタイプの情報のカバレッジエリアの差を低減するよう、当該異なるタイプの情報は、第１のシンボルおよび第２のシンボルを使用して伝送され得る。
2019510427.tif 000002
【特許請求の範囲】
【請求項１】
ダウンリンク伝送方法であって、
無線フレームを決定する段階であって、前記無線フレームは、第１のサブフレーム、第２のサブフレーム、および第３のサブフレームのうちの少なくとも２つを有し、前記第１のサブフレームは第１のシンボルを含み、前記第２のサブフレームは第２のシンボルを含み、前記第３のサブフレームは前記第１のシンボルおよび前記第２のシンボルを含み、前記第１のシンボルの帯域幅は第１の帯域幅であり、前記第２のシンボルの帯域幅は第２の帯域幅であり、前記第１の帯域幅は、前記第２の帯域幅より小さい、段階と、
前記無線フレームに基づいてダウンリンク伝送を行う段階と、
を備える
方法。
【請求項２】
前記無線フレームは、前記第１のサブフレームおよび前記第３のサブフレームのうちの少なくとも１つを有し、前記無線フレームに基づいてダウンリンク伝送を行う前記段階は、
同期信号、物理ブロードキャストチャネルＰＢＣＨ上で搬送される情報、物理ダウンリンク制御チャネルＰＤＣＣＨ上で搬送される情報、セル固有参照信号ＣＲＳ、およびシステム情報のうちの少なくとも１つを、前記第１のサブフレームの前記第１のシンボルおよび前記第３のサブフレームの前記第１のシンボルのうちの少なくとも１つを使用することによって伝送する段階を有する、
請求項１に記載の方法。
【請求項３】
前記ＣＲＳは、前記第１のサブフレームの前記第１のシンボルおよび前記第３のサブフレームの前記第１のシンボルのうちの少なくとも１つを使用することによって伝送され、前記方法はさらに、
前記第１の帯域幅に基づいて前記ＣＲＳの参照信号シーケンスを決定する段階を備える、
請求項２に記載の方法。
【請求項４】
前記第１のシンボル、前記第１のサブフレーム、および前記第３のサブフレームのうちの少なくとも１つの、前記無線フレームにおける時間ドメイン位置についての情報をダウンリンク方向に伝送する段階
をさらに備える
請求項１から３のいずれか一項に記載の方法。
【請求項５】
前記第１のシンボル、前記第１のサブフレーム、および前記第３のサブフレームのうちの少なくとも１つの、前記無線フレームにおける時間ドメイン位置についての情報をダウンリンク方向に伝送する前記段階は、
前記第１のシンボル、前記第１のサブフレーム、および前記第３のサブフレームのうちの少なくとも１つの、前記無線フレームにおける前記時間ドメイン位置についての前記情報を、システムメッセージを使用することによって伝送する段階、または、
前記第１のシンボル、前記第１のサブフレーム、および前記第３のサブフレームのうちの少なくとも１つの、前記無線フレームにおける前記時間ドメイン位置についての前記情報を、無線リソース制御ＲＲＣシグナリングを使用することによって伝送する段階、または、
現在のキャリア内の前記第１のシンボル、前記第１のサブフレーム、および前記第３のサブフレームのうちの少なくとも１つの、前記無線フレームにおける前記時間ドメイン位置についての前記情報を、別のキャリアを使用することによって伝送する段階
を有する、
請求項４に記載の方法。
【請求項６】
前記第１のシンボルの中心周波数は、前記第２のシンボルの中心周波数と同じである、
請求項１から５のいずれか一項に記載の方法。
【請求項７】
前記第１のサブフレームおよび前記第３のサブフレームのうちの少なくとも１つは、マルチメディアブロードキャストマルチキャストサービス単一周波数ネットワークＭＢＳＦＮサブフレームである、
請求項１から６のいずれか一項に記載の方法。
【請求項８】
前記第１の帯域幅は１．４ＭＨｚであり、前記第２の帯域幅は、３ＭＨｚ、５ＭＨｚ、１０ＭＨｚ、１５ＭＨｚ、または２０ＭＨｚである、
請求項１から７のいずれか一項に記載の方法。
【請求項９】
プロセッサおよび送信機を備える無線通信装置であって、
前記プロセッサは、無線フレームを決定するよう構成され、前記無線フレームは、第１のサブフレーム、第２のサブフレーム、および第３のサブフレームのうちの少なくとも２つを有し、前記第１のサブフレームは第１のシンボルを含み、前記第２のサブフレームは第２のシンボルを含み、前記第３のサブフレームは前記第１のシンボルおよび前記第２のシンボルを含み、前記第１のシンボルの帯域幅は第１の帯域幅であり、前記第２のシンボルの帯域幅は第２の帯域幅であり、前記第１の帯域幅は、前記第２の帯域幅より小さく、
前記送信機は、前記無線フレーム上で搬送されるダウンリンク情報を伝送するよう構成される、
装置。
【請求項１０】
前記送信機は具体的に、前記第１のサブフレームの前記第１のシンボルおよび前記第３のサブフレームの前記第１のシンボルのうちの少なくとも１つにおいて搬送される同期信号、物理ブロードキャストチャネルＰＢＣＨ上で搬送される情報、物理ダウンリンク制御チャネルＰＤＣＣＨ上で搬送される情報、セル固有参照信号ＣＲＳ、およびシステム情報のうちの少なくとも１つを送信するよう構成される、
請求項９に記載の装置。
【請求項１１】
前記プロセッサはさらに、前記送信機が、前記第１のサブフレームの前記第１のシンボルおよび前記第３のサブフレームの前記第１のシンボルのうちの少なくとも１つにおいて搬送される前記ＣＲＳを送信する前、前記第１の帯域幅に基づいて前記ＣＲＳの参照信号シーケンスを決定するよう構成される、
請求項１０に記載の装置。
【請求項１２】
前記送信機はさらに、前記第１のシンボル、前記第１のサブフレーム、および前記第３のサブフレームのうちの少なくとも１つの、前記無線フレームにおける時間ドメイン位置についての情報を送信するよう構成される、
請求項９から１１のいずれか一項に記載の装置。
【請求項１３】
前記送信機は具体的に、前記第１のシンボル、前記第１のサブフレーム、および前記第３のサブフレームのうちの少なくとも１つの、前記無線フレームにおける前記時間ドメイン位置についての前記情報を、システムメッセージを使用することによって送信するよう構成されるか、または、前記送信機は具体的に、前記第１のシンボル、前記第１のサブフレーム、および前記第３のサブフレームのうちの少なくとも１つの、前記無線フレームにおける前記時間ドメイン位置についての前記情報を、無線リソース制御ＲＲＣシグナリングを使用することによって送信するよう構成されるか、または、前記送信機は具体的に、現在のキャリア内の前記第１のシンボル、前記第１のサブフレーム、および前記第３のサブフレームのうちの少なくとも１つの、前記無線フレームにおける前記時間ドメイン位置についての前記情報を別のキャリアを使用することによって送信するよう構成される、
請求項１２に記載の装置。
【請求項１４】
プロセッサおよび受信機を備える無線通信装置であって、
前記プロセッサは、無線フレームを決定するよう構成され、前記無線フレームは、第１のサブフレーム、第２のサブフレーム、および第３のサブフレームのうちの少なくとも２つを有し、前記第１のサブフレームは第１のシンボルを含み、前記第２のサブフレームは第２のシンボルを含み、前記第３のサブフレームは前記第１のシンボルおよび前記第２のシンボルを含み、前記第１のシンボルの帯域幅は第１の帯域幅であり、前記第２のシンボルの帯域幅は第２の帯域幅であり、前記第１の帯域幅は、前記第２の帯域幅より小さく、
前記受信機は、前記無線フレーム上で搬送されるダウンリンク情報を受信するよう構成される、
装置。
【請求項１５】
前記受信機は具体的に、前記第１のサブフレームの前記第１のシンボルおよび前記第３のサブフレームの前記第１のシンボルのうちの少なくとも１つにおいて搬送される同期信号、物理ブロードキャストチャネルＰＢＣＨ上で搬送される情報、物理ダウンリンク制御チャネルＰＤＣＣＨ上で搬送される情報、セル固有参照信号ＣＲＳ、およびシステム情報のうちの少なくとも１つを受信するよう構成される、
請求項１４に記載の装置。
【請求項１６】
前記プロセッサはさらに、前記第１の帯域幅に基づいて前記ＣＲＳの参照信号シーケンスを決定するよう構成される、
請求項１５に記載の装置。
【請求項１７】
前記受信機はさらに、前記第１のシンボル、前記第１のサブフレーム、および前記第３のサブフレームのうちの少なくとも１つの、前記無線フレームにおける時間ドメイン位置についての情報を受信するよう構成される、
請求項１４から１６のいずれか一項に記載の装置。
【請求項１８】
前記受信機は具体的に、前記第１のシンボル、前記第１のサブフレーム、および前記第３のサブフレームのうちの少なくとも１つの、前記無線フレームにおける前記時間ドメイン位置についての前記情報であって、システムメッセージを使用することによって送信された前記情報を受信するよう構成されるか、または、前記受信機は具体的に、前記第１のシンボル、前記第１のサブフレーム、および前記第３のサブフレームのうちの少なくとも１つの、前記無線フレームにおける前記時間ドメイン位置についての前記情報であって、無線リソース制御ＲＲＣシグナリングを使用することによって送信された前記情報を受信するよう構成されるか、または、前記受信機は具体的に、現在のキャリア内の前記第１のシンボル、前記第１のサブフレーム、および前記第３のサブフレームのうちの少なくとも１つの、前記無線フレームにおける前記時間ドメイン位置についての前記情報であって、別のキャリアを使用することによって送信された前記情報を受信するよう構成される、
請求項１７に記載の装置。
【請求項１９】
請求項９から１３のいずれか一項に記載の装置、および請求項１４から１８のいずれか一項に記載の装置を備える通信システム。
【発明の詳細な説明】
【技術分野】
【０００１】
本発明は、通信分野に関し、特には、ダウンリンク伝送方法、装置、およびシステムに関する。
【背景技術】
【０００２】
無線通信システムでは、無線信号の伝送距離はキャリア周波数に関係している。キャリア周波数が高いほど、空間における伝送中の無線信号はより急速に減衰し、伝送距離はより短くなる。既存のロングタームエボリューション（Ｌｏｎｇ  Ｔｅｒｍ  Ｅｖｏｌｕｔｉｏｎ、略してＬＴＥ）システムでは、無指向性ビームを使用することによって、異なるタイプの情報はすべて、対応する時間周波数リソース位置上で伝送される。主な動作帯域は低周波数帯域なので、異なるタイプの情報はカバレッジ上何の問題も有さない。しかしながら、キャリア周波数が高くなるにつれ、高周波伝送中、無線信号はより急速に減衰してしまう。この場合、いくつかのタイプの情報のカバレッジを改善するよう、指向性ビームが導入される。しかしながら、これにより、異なるタイプの情報のカバレッジエリアの差が大きくなってしまう。
【発明の概要】
【０００３】
本発明の実施形態は、共通チャネルおよび共通信号のカバレッジを改善するためのダウンリンク伝送方法、装置、およびシステムを説明する。
【０００４】
１つの態様においては、本発明の一実施形態はダウンリンク伝送方法を提供する。当該方法は、無線フレームを決定する段階であって、無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さい、段階と、無線フレームに基づいてダウンリンク伝送を行う段階とを備える。上述の説明から、無線フレームは、比較的小さい帯域幅を有する第１のシンボルと、比較的大きい帯域幅を有する第２のシンボルとの両方を含むことが分かるであろう。したがって、本発明の本実施形態の解決手段においては、異なるタイプの情報のカバレッジエリアの差を低減するよう、当該異なるタイプの情報は、第１のシンボルおよび第２のシンボルを使用して伝送され得る。
【０００５】
その上、本発明の本実施形態の解決手段において、比較的小さい帯域幅を有する第１のシンボルは、カバレッジエリアを拡大する必要がある信号を伝送するために使用できる。例えば、第１のシンボルは、帯域幅オーバーヘッドを低減することによって共通情報の送信電力を大きくするよう、共通情報（例えば、共通チャネルおよび共通信号）を伝送するために使用されてよく、それによって共通情報のカバレッジエリアを拡大する。
【０００６】
可能な設計において、無線フレームは、通信リソースを節約するために事前設定によって決定されてよく、または、無線フレームは、無線フレームをより高い自由度で決定するよう情報のやり取りによって決定されてよい。
【０００７】
可能な設計において、無線フレームは、第１のサブフレームおよび第３のサブフレームのうちの少なくとも１つを有し、同期信号、物理ブロードキャストチャネルＰＢＣＨ上で搬送される情報、物理ダウンリンク制御チャネルＰＤＣＣＨ上で搬送される情報、セル固有参照信号ＣＲＳ、およびシステム情報のうちの少なくとも１つが、第１のサブフレームの第１のシンボルおよび第３のサブフレームの第１のシンボルのうちの少なくとも１つを使用することによって伝送される。例えば、ＣＲＳは、第１のサブフレームの第１のシンボルおよび第３のサブフレームの第１のシンボルのうちの少なくとも１つを使用することによって伝送される。この場合、第１の帯域幅に基づいて、ＣＲＳの参照信号シーケンスがさらに決定されてよい。
【０００８】
可能な設計において、無線フレームは、第２のサブフレームおよび第３のサブフレームのうちの少なくとも１つを有し、データ信号が、第２のサブフレームの第２のシンボルおよび第３のサブフレームの第２のシンボルのうちの少なくとも１つを使用することによって伝送されてよい。
【０００９】
可能な設計において、第１のシンボル、第１のサブフレーム、および第３のサブフレームのうちの少なくとも１つの、無線フレームにおける時間ドメイン位置についての情報が、ダウンリンク方向に伝送されてよい。例えば、第１のシンボル、第１のサブフレーム、および第３のサブフレームのうちの少なくとも１つの、無線フレームにおける時間ドメイン位置についての情報は、システムメッセージを使用することによって伝送されてよい。別の例では、第１のシンボル、第１のサブフレーム、および第３のサブフレームのうちの少なくとも１つの、無線フレームにおける時間ドメイン位置についての情報は、無線リソース制御ＲＲＣシグナリングを使用することによって伝送されてよい。別の例では、現在のキャリア内の第１のシンボル、第１のサブフレーム、および第３のサブフレームのうちの少なくとも１つの、無線フレームにおける時間ドメイン位置についての情報は、別のキャリアを使用することによって伝送されてよい。
【００１０】
可能な設計において、第２のシンボルおよび第２のサブフレームのうちの少なくとも１つの、無線フレームにおける時間ドメイン位置についての情報がまたダウンリンク方向に伝送されてよく、これにより、時間ドメイン位置についての情報を受信するネットワーク要素が、第１のシンボル、第１のサブフレーム、および第３のサブフレームのうちの少なくとも１つの、無線フレームにおける時間ドメイン位置についての情報を認識する。
【００１１】
したがって、本発明の本実施形態の解決手段において、第１のシンボル、第２のシンボル、第１のサブフレーム、第２のサブフレーム、および第３のサブフレームのうちの少なくとも１つの、無線フレームにおける時間ドメイン位置についての情報が、サブフレーム粒度および／またはシンボル粒度で伝送されてよい。
【００１２】
可能な設計において、無線フレームはさらに、第１のシンボルの中心周波数が第２のシンボルの中心周波数と同じであるという特徴、第１のサブフレームおよび第３のサブフレームのうちの少なくとも１つが、マルチメディアブロードキャストマルチキャストサービス単一周波数ネットワークＭＢＳＦＮサブフレームであるという特徴、および、第１の帯域幅は１．４ＭＨｚであり、第２の帯域幅は３ＭＨｚ、５ＭＨｚ、１０ＭＨｚ、１５ＭＨｚ、または２０ＭＨｚであるという特徴のうちの１つまたはそれらの任意の組み合わせを有してよい。当然ながら、第１の帯域幅が第２の帯域幅より小さいのであれば、第１の帯域幅および第２の帯域幅は、代替的に、任意の他の帯域幅であってよい。
【００１３】
可能な設計において、上述の態様において提供された方法は、基地局によって行われてよく、または、端末によって行われてもよい。異なる適用シナリオにおいて、上述の態様において提供された解決手段は、基地局と端末との間で実装されてよく、または、異なる端末間で実装されてよく、または、異なるタイプの基地局間で実装されてよい、例えば、マクロ基地局とミクロ基地局との間で実装されてよい。
【００１４】
別の態様においては、本発明の一実施形態は、無線通信装置、例えば基地局を提供する。基地局は、上述の方法設計における基地局の挙動を実装する機能を有する。当該機能は、ハードウェアを使用することによって実装されてよく、または、対応するソフトウェアを実行するハードウェアによって実装されてもよい。ハードウェアまたはソフトウェアは、上述の機能に対応する１または複数のモジュールを含む。モジュールは、ソフトウェアおよび／またはハードウェアであってよい。
【００１５】
可能な設計において、基地局の構造は、プロセッサおよび送信機を含む。プロセッサは、基地局が上述の方法における対応する機能を実行するのをサポートするよう構成される。送信機は、基地局と端末との間での通信をサポートし、上述の方法において言及された情報または命令を端末に送信するよう構成される。基地局はさらに、メモリを含んでよい。メモリは、プロセッサに結合されるよう構成され、基地局の必要なプログラム命令およびデータを記憶する。
【００１６】
さらに別の態様においては、本発明の一実施形態は、無線通信装置、例えば端末を提供する。端末は、上述の方法設計における端末の挙動を実装する機能を有する。当該機能は、ハードウェアを使用することによって実装されてよく、または、対応するソフトウェアを実行するハードウェアによって実装されてよい。ハードウェアまたはソフトウェアは、上述の機能に対応する１または複数のモジュールを含む。モジュールは、ソフトウェアおよび／またはハードウェアであってよい。
【００１７】
可能な設計において、端末の構造は、受信機およびプロセッサを含む。プロセッサは、基地局が上述の方法における対応する機能を実行するのをサポートするよう構成される。受信機は、上述の無線フレームを使用することによって上述の基地局によって送信された様々な情報または命令を端末が受信するのをサポートするよう構成される。端末はさらに、メモリを含んでよい。メモリは、プロセッサに結合されるよう構成され、端末の必要なプログラム命令およびデータを記憶する。
【００１８】
さらに別の態様において、本発明の一実施形態は通信システムを提供する。当該システムは、上述の態様に係る無線通信装置を含む。例えば、当該システムは、上述の態様に係る基地局および端末を含んでよい。
【００１９】
また別の態様において、本発明の一実施形態は、コンピュータ記憶媒体を提供する。当該コンピュータ記憶媒体は、上述の基地局によって使用されるコンピュータソフトウェア命令を記憶するよう構成される。当該コンピュータソフトウェア命令は、上述の態様を実行するために設計されたプログラムを含む。
【００２０】
また別の態様において、本発明の一実施形態は、コンピュータ記憶媒体を提供する。当該コンピュータ記憶媒体は、上述の端末によって使用されるコンピュータソフトウェア命令を記憶するよう構成される。当該コンピュータソフトウェア命令は、上述の態様を実行するために設計されたプログラムを含む。
【００２１】
先行技術と比較すると、本発明の実施形態において提供される解決手段では、無線フレームが決定され、当該無線フレームに基づいてダウンリンク伝送が行われる。ここで、当該無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルの第２のシンボルを含み、第１のシンボルの帯域幅は第１の帯域幅であり、第２のシンボルの帯域幅は第２の帯域幅であり、第１の帯域幅は第２の帯域幅より小さい。上述の説明から、本発明の実施形態における解決手段では、第２のシンボルと比べて比較的小さい帯域幅を有する第１のシンボルは、帯域幅オーバーヘッドを低減することによっていくつかの情報の送信電力を大きくするよう、当該情報を伝送するために使用されてよく、それによって情報のカバレッジエリアを拡大することが分かるであろう。したがって、本発明の実施形態における解決手段においては、異なるタイプの情報のカバレッジエリアの差を低減するよう、異なるタイプの情報は、異なる帯域幅を有する第１のシンボルおよび第２のシンボルを使用することによって伝送され得る。
【図面の簡単な説明】
【００２２】
本発明の実施形態における、または先行技術における技術的解決手段をより明確に説明すべく、実施形態または先行技術の説明に必要な添付図面を以下で簡潔に説明する。以下の説明における添付図面は、本発明のいくつかの実施形態を示しているに過ぎず、当業者であれば、創造的な努力なく、これらの添付図面から本発明の他の実施形態または実装例を導出できることは明らかである。これらのすべての実施形態または実装例は、本発明の保護範囲に含まれるものとする。
【００２３】
【図１】本発明の一実施形態に係る可能な適用シナリオの概略図である。
【００２４】
【図２Ａ】本発明の一実施形態に係る可能なシステムネットワークの概略図である。
【００２５】
【図２Ｂ】本発明の一実施形態に係る別の可能なシステムネットワークの概略図である。
【００２６】
【図３】本発明の一実施形態に係るダウンリンク伝送方法を使用した通信の概略図である。
【００２７】
【図４】本発明の一実施形態に係る別のダウンリンク伝送方法の概略フローチャートである。
【００２８】
【図５Ａ】本発明の一実施形態に係る第１のシンボルおよび第２のシンボルの概略図である。
【図５Ｂ】本発明の一実施形態に係る第１のシンボルおよび第２のシンボルの概略図である。
【００２９】
【図６Ａ】本発明の一実施形態に係る、可変帯域幅を有する無線フレームの概略図である。
【図６Ｂ】本発明の一実施形態に係る、可変帯域幅を有する無線フレームの概略図である。
【図６Ｃ】本発明の一実施形態に係る、可変帯域幅を有する無線フレームの概略図である。
【図６Ｄ】本発明の一実施形態に係る、可変帯域幅を有する無線フレームの概略図である。
【００３０】
【図７】本発明の一実施形態に係る、第１のサブフレーム、第２のサブフレーム、および第３のサブフレームの概略図である。
【００３１】
【図８Ａ】本発明の一実施形態に係る、ＣＲＳの参照シーケンスを決定するための方法の概略図である。
【図８Ｂ】本発明の一実施形態に係る、ＣＲＳの参照シーケンスを決定するための方法の概略図である。
【００３２】
【図９】本発明の一実施形態に係る無線通信装置の概略構造図である。
【００３３】
【図１０】本発明の一実施形態に係る端末の概略構造図である。
【発明を実施するための形態】
【００３４】
本発明の実施形態の目的、技術的解決手段、および利点をより明確にすべく、以下では、本発明の実施形態における添付図面に関連して本発明の実施形態の技術的解決手段を説明する。
【００３５】
本発明の以下の実施形態において説明されるネットワークアーキテクチャおよびサービスシナリオは、本発明の実施形態における技術的解決手段をより明確に説明することを目指しているのであって、本発明の実施形態において提供される技術的解決手段を限定することは意図していない。当業者であれば、ネットワークアーキテクチャが進化し、新しいサービスシナリオが出現するにつれて、本発明の実施形態において提供される技術的解決手段もまた、同様の技術的問題に適用可能であることを認識しているであろう。
【００３６】
図１に示すように、端末が、無線アクセスネットワーク（Ｒａｄｉｏ  Ａｃｃｅｓｓ  Ｎｅｔｗｏｒｋ、略してＲＡＮ）およびコアネットワーク（Ｃｏｒｅ  Ｎｅｔｗｏｒｋ、略してＣＮ）を使用することによって、事業者のインターネットプロトコル（Ｉｎｔｅｒｎｅｔ  Ｐｒｏｔｏｃｏｌ、略してＩＰ）サービスネットワーク、例えば、マルチメディアサブシステム（ＩＰ  Ｍｕｌｔｉｍｅｄｉａ  Ｓｙｓｔｅｍ、略してＩＭＳ）ネットワークまたはパケット交換ストリーミングサービス（Ｐａｃｋｅｔ  Ｓｗｉｔｃｈｅｄ  Ｓｔｒｅａｍｉｎｇ  Ｓｅｒｖｉｃｅ、ＰＳＳ）ネットワークにアクセスする。本発明の実施形態において説明される技術的解決手段は、様々な無線アクセス技術を使用するＬＴＥシステムまたは別の無線通信システム、例えば、符号分割多重アクセス（Ｃｏｄｅ  Ｄｉｖｉｓｉｏｎ  Ｍｕｌｔｉｐｌｅ  Ａｃｃｅｓｓ、略してＣＤＭＡ）、周波数分割多重アクセス（Ｆｒｅｑｕｅｎｃｙ  Ｄｉｖｉｓｉｏｎ  Ｍｕｌｔｉｐｌｅ  Ａｃｃｅｓｓ、略してＦＤＭＡ）、時分割多重アクセス（Ｔｉｍｅ  Ｄｉｖｉｓｉｏｎ  Ｍｕｌｔｉｐｌｅ  Ａｃｃｅｓｓ、略してＴＤＭＡ）、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、略してＯＦＤＭＡ）、またはシングルキャリア周波数分割多重アクセス（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、略してＳＣ−ＦＤＭＡ）などのアクセス技術を使用するシステムに適用可能である。加えて、当該技術的解決手段はまた、ＬＴＥシステムの後続の進化したシステム、例えば、第５世代（５ｔｈ  Ｇｅｎｅｒａｔｉｏｎ、略して５Ｇ）システムに適用可能である。 明確にするために、本明細書において説明のために例としてＬＴＥシステムのみを使用する。ＬＴＥシステムでは、無線アクセスネットワークとして発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、略してＥ−ＵＴＲＡＮ）が使用され、コアネットワークとして発展型パケットコア（Ｅｖｏｌｖｅｄ  Ｐａｃｋｅｔ  Ｃｏｒｅ、略してＥＰＣ）が使用される。端末は、Ｅ−ＵＴＲＡＮおよびＥＰＣを使用することによって、ＩＭＳネットワークにアクセスする。
【００３７】
本発明の実施形態において、「ネットワーク」および「システム」という用語はしばしば交互に使用されるが、当業者であれば、当該用語の意味を理解できよう。本発明の実施形態の端末は、無線通信機能を有するハンドヘルドデバイス、車載デバイス、ウェアラブルデバイス、もしくはコンピューティングデバイス、または、無線モデムに接続された別の処理デバイスと、さまざまな形態のユーザ機器（Ｕｓｅｒ  Ｅｑｕｉｐｍｅｎｔ、略してＵＥ）、および移動局（Ｍｏｂｉｌｅ  Ｓｔａｔｉｏｎ、略してＭＳ）等とを含んでよい。説明の便宜上、本発明の実施形態においては、上述のデバイスはまとめて端末と称される。本発明の実施形態の基地局は、無線アクセスネットワークに配備され、端末に無線通信機能を提供するよう構成された装置である。基地局は、さまざまな形態のマクロ基地局、ミクロ基地局、中継ノード、およびアクセスポイント等を含んでよい。あるいは、基地局は、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ（登録商標））もしくはＣＤＭＡシステムの基地局コントローラ（Ｂａｓｅ  Ｓｔａｔｉｏｎ  Ｃｏｎｔｒｏｌｌｅｒ、略してＢＳＣ）であってよく、または、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））システムの無線ネットワークコントローラ（Ｒａｄｉｏ  Ｎｅｔｗｏｒｋ  Ｃｏｎｔｒｏｌｌｅｒ、略してＲＮＣ）であってよく、または、様々な通信システムの基地局（Ｂａｓｅ  Ｓｔａｔｉｏｎ、略してＢＳ）もしくは集中型サーバ等であってよく、または、基地局とコントローラとの組み合わせであってよい。異なる無線アクセス技術を使用するシステムでは、基地局の機能を有するデバイスが、異なる名称を有してよい。例えば、ＬＴＥシステムにおいて、デバイスは、発展型ノードＢ（ｅｖｏｌｖｅｄ  ＮｏｄｅＢ、略してｅＮｏｄｅＢまたはｅＮＢ）と称される。第３世代（３ｒｄ  Ｇｅｎｅｒａｔｉｏｎ、略して３Ｇ）システムでは、デバイスはノードＢ（ＮｏｄｅＢ）と称される。説明の便宜上、本発明の実施形態では、端末に無線通信機能を提供する上述の装置は、基地局またはＢＳと称される。本発明の実施形態の基地局は、既存の通信システムの基地局と、将来出現するであろう通信システム（例えば、５Ｇ通信システム）の基地局の両方を含むことを理解されたい。このことは、本発明の実施形態において限定されない。
【００３８】
図２Ａは、本発明の一実施形態に係る可能なシステムの概略図である。当該システムは、主に基地局および端末を備える。基地局は、セルラネットワークを使用することによって端末と通信してよい。例えば、図２Ａに示すシステムは、時分割複信（Ｔｉｍｅ  Ｄｉｖｉｓｉｏｎ  Ｄｕｐｌｅｘ、略してＴＤＤ）システムであってよく、または、周波数分割複信（Ｆｒｅｑｕｅｎｃｙ  Ｄｉｖｉｓｉｏｎ  Ｄｕｐｌｅｘ、略してＦＤＤ）システムであってよい。別の例では、図２Ａに示すシステムは、シングルキャリアシステムであってよく、または、マルチキャリアシステムであってよい。別の例では、図２Ａに示すシステムは、高周波通信システム（例えば、６ＧＨｚより高い周波数帯域を有するシステム、高周波数についての具体的な定義については規格またはシステムの要件を参照されたい）であってよく、または、低周波通信システム（例えば、６ＧＨｚより低い周波数帯域を有するシステム、低周波数についての具体的な定義については規格またはシステムの要件を参照されたい）であってよい。
【００３９】
図２Ｂは、本発明の一実施形態に係る別の可能なシステムの概略図である。図２Ｂに示すシステムにおいて、図２Ａに示すシステムと同じまたは同様の内容については、図２Ａに関する詳細な説明を参照されたい。ここでは、詳細は再度説明しない。図２Ｂに示すシステムの適用シナリオは、デバイスツーデバイス（Ｄｅｖｉｃｅ−ｔｏ−Ｄｅｖｉｃｅ、Ｄ２Ｄ）通信シナリオであってよく、または、マシンツーマシン（Ｍａｃｈｉｎｅ−ｔｏ−Ｍａｃｈｉｎ、Ｍ２Ｍ）通信シナリオであってよい。Ｄ２Ｄ通信とは、システムの制御の下、セルのリソースを再利用することによって端末が互いに通信することを許容されることを意味する。Ｍ２Ｍ通信とは、マシンと別のマシンとの間での情報のやり取りを意味する。例えば、Ｍ２Ｍ通信は、図２Ｂにおける第１の端末と第２の端末との間での情報のやり取りであってよい。
【００４０】
図２Ａに示すシステムアーキテクチャが使用されるとき、本発明の実施形態において提供される解決手段のダウンリンク伝送は、基地局から端末への伝送を意味し、図２Ｂに示すシステムアーキテクチャが使用されるとき、本発明の実施形態において提供される解決手段のダウンリンク伝送は、端末から別の端末への伝送を意味することに留意すべきである。例えば、図２Ｂにおいて、ダウンリンク伝送は、第１の端末から第２の端末への伝送であってよく、または、第２の端末から第１の端末への伝送であってよい。
【００４１】
本発明の実施形態の解決手段は、図２Ａまたは図２Ｂに示すシステムアーキテクチャに加えて、別のシステムアーキテクチャに適用されてよいことが理解されよう。例えば、当該解決手段は、マクロ基地局ミクロ基地局を含むシステムアーキテクチャに適用されてよい。この適用シナリオでは、本発明の実施形態において提供される解決手段のダウンリンク伝送は、マクロ基地局からミクロ基地局への伝送であってよく、または、ミクロ基地局からマクロ基地局への伝送であってよい。
【００４２】
本発明の実施形態がさらに、本発明の実施形態に係る上述の共通の態様に基づいて詳細に説明される。
【００４３】
本発明の一実施形態は、ダウンリンク伝送方法と、当該方法に基づく基地局、端末およびシステムとを提供する。当該方法は、無線フレームを決定する段階であって、無線フレームは、第１のサブフレーム、第２のサブフレーム、および第３のサブフレームのうちの少なくとも２つを有し、第１のサブフレームは第１のシンボルを含み、第２のサブフレームは第２のシンボルを有し、第３のサブフレームは第１のシンボルおよび第２のシンボルを有し、第１のシンボルの帯域幅は第１の帯域幅であり、第２のシンボルの帯域幅は第２の帯域幅であり、第１の帯域幅は第２の帯域幅より小さい、段階と、無線フレームに基づいてダウンリンク伝送を行う段階とを備えてよい。上述の説明から、本発明の本実施形態における解決手段では、第２のシンボルと比べて比較的小さい帯域幅を有する第１のシンボルは、帯域幅オーバーヘッドを低減することによっていくつかの情報の送信電力を大きくするよう、当該情報を伝送するために使用されてよく、それによって情報のカバレッジエリアを拡大することが分かるであろう。したがって、本発明の本実施形態における解決手段においては、異なるタイプの情報のカバレッジエリアの差を低減するよう、当該異なるタイプの情報は、異なる帯域幅を有する第１のシンボルおよび第２のシンボルを使用することによって伝送され得る。
【００４４】
無線フレームの説明から、無線フレームは第１のシンボルおよび第２のシンボルの両方を有するが、第１のシンボルの帯域幅は、第２のシンボルの帯域幅と異なることが分かるであろう。したがって、従来の無線フレームの帯域幅と比べて、無線フレームの帯域幅は可変である。説明の便宜上、以下の説明では、無線フレームは代替的に、可変帯域幅を有する無線フレームと称されてよく、従来の無線フレームは代替的に、固定帯域幅を有する無線フレームと称されてよい。先行技術では、基地局は、固定帯域幅を有する無線フレームに基づいて端末とダウンリンク伝送を行う。データ情報および共通情報のカバレッジが不十分であるとき、データ情報は、カバレッジエリアが改善するよう指向性ビームを使用することによって伝送されてよく、共通情報のカバレッジ問題が明白になる。この場合、本発明の本実施形態において提供される解決手段が使用されてよい。当該ダウンリンク伝送は、可変帯域幅を有する無線フレームに基づいて行われ、比較的小さい帯域幅を有する第１のシンボルを、共通情報を伝送するために使用して、帯域幅オーバーヘッドを低減することによって送信電力を大きくし、それによってカバレッジエリアを拡大する。共通情報は、１または複数の不特定の対象に送信される情報である。例えば、図２Ａに示すシステムアーキテクチャでは、当該情報は、基地局によって１または複数の不特定の端末に送信される情報であってよい。共通情報は、共通チャネルおよび／または共通信号を有してよい。共通チャネルは、物理ブロードキャストチャネル（Ｐｈｙｓｉｃａｌ  Ｂｒｏａｄｃａｓｔ  Ｃｈａｎｎｅｌ、ＰＢＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、同期チャネル（Ｓｙｎｃｈｒｏｎｉｚａｔｉｏｎ  Ｃｈａｎｎｅｌ、ＳＣＨ）、ブロードキャストチャネル（Ｂｒｏａｄｃａｓｔ  Ｃｈａｎｎｅｌ、ＢＣＨ）、ページングチャネル（Ｐａｇｉｎｇ  Ｃｈａｎｎｅｌ、ＰＣＨ）、フォワードアクセスチャネル（Ｆｏｒｗａｒｄ  Ａｃｃｅｓｓ  Ｃｈａｎｎｅｌ、ＦＡＣＨ）、および共通パイロットチャネル（Ｃｏｍｍｏｎ  Ｐｉｌｏｔ  Ｃｈａｎｎｅｌ、ＣＰＩＣＨ）等のうちの１つまたはそれらの任意の組み合わせを有してよい。共通信号は、同期信号、セル固有参照信号（Ｃｅｌｌ−ｓｐｅｃｉｆｉｃ  Ｒｅｆｅｒｅｎｃｅ  Ｓｉｇｎａｌ、ＣＲＳ）およびシステム情報等のうちの１つまたはそれらの任意の組み合わせを有してよい。同期信号は、プライマリ同期信号（Ｐｒｉｍａｒｙ  Ｓｙｎｃｈｒｏｎｉｚａｔｉｏｎ  Ｓｉｇｎａｌ、ＰＳＳ）およびセカンダリ同期信号（Ｓｅｃｏｎｄａｒｙ  Ｓｙｎｃｈｒｏｎｉｚａｔｉｏｎ  Ｓｉｇｎａｌ、ＳＳＳ）を含んでよい。上述の様々なタイプの共通チャネルおよび／または共通信号は、１または複数の不特定の対象に送信されるチャネルおよび／または信号であることが理解されよう。システムアーキテクチャの発展および規格の発展に伴って、チャネルおよび／または信号の名称は変化する場合があるが、その変化は、本発明の実施形態の範囲を越えるものではない。
【００４５】
本発明の本実施形態の解決手段が図２Ａに示すシステムまたは同様のシステムに適用されるとき、基地局は、可変帯域幅を有する無線フレームにのみ基づいてすべての端末とダウンリンク伝送を行ってよく、または、基地局は、可変帯域幅を有する無線フレームに基づいていくつかの端末とダウンリンク伝送を行い、固定帯域幅を有する無線フレームに基づいてその他の端末とダウンリンク伝送を行ってよいことに留意すべきである。したがって、本発明の本実施形態の解決手段は、従来の伝送モードとの互換性がより良好である。
【００４６】
本発明の実施形態において提供される解決手段は、さらなる添付図面に関連して、かつ、図２Ａに示すシステムアーキテクチャが使用される例を使用することによって以下で説明される。
【００４７】
図３は、本発明の一実施形態に係るダウンリンク伝送方法を使用する通信の概略図である。
【００４８】
３０１部分において、基地局および端末が無線フレームを決定し、無線フレームは、可変帯域幅を有する無線フレームである。可変帯域幅を有する無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さい。
【００４９】
一例において、基地局および端末は、事前設定によって、可変帯域幅を有する無線フレームを決定してよい。例えば、事前設定は、ブロードキャストメッセージを使用することによって行われてよい。可変帯域幅を有する無線フレームを決定した後、基地局はブロードキャストメッセージを配信する。ここで、ブロードキャストメッセージは、無線フレームに含まれるサブフレームおよびシンボルについての情報を保持する。例えば、当該情報は、ブロードキャストメッセージにおけるシステム情報を使用することによって保持されてよい。ブロードキャストメッセージの受信後、端末は、ブロードキャストメッセージにおいて保持された情報に基づいて、可変帯域幅を有する無線フレームを決定してよい。
【００５０】
３０２部分において、可変帯域幅を有する無線フレームに基づいて、基地局と端末との間でダウンリンク伝送が行われる。
【００５１】
一例において、可変帯域幅を有する無線フレームが、第１のサブフレームおよび第３のサブフレームのうちの少なくとも１つを含むとき、同期信号、ＰＢＣＨ上で搬送される情報、ＰＤＣＣＨ上で搬送される情報、ＣＲＳ、およびシステム情報のうちの少なくとも１つが、第１のサブフレームの第１のシンボルおよび第３のサブフレームの第１のシンボルのうちの少なくとも１つを使用することによって伝送される。その上、ＣＲＳが第１のサブフレームの第１のシンボルおよび第３のサブフレームの第１のシンボルのうちの少なくとも１つを使用することによって伝送されるとき、ＣＲＳの参照信号シーケンス（ｒｅｆｅｒｅｎｃｅ  ｓｉｇｎａｌ  ｓｅｑｕｅｎｃｅ）がさらに、第１の帯域幅に基づいて決定されてよい。例えば、参照信号シーケンスは、図８Ａおよび図８Ｂに示す方法を使用することによって決定されてよい。詳細については、以下の詳細な説明を参照されたい。
【００５２】
別の例において、無線フレームが第２のサブフレームおよび第３のサブフレームのうちの少なくとも１つを有するとき、データ信号が、第２のサブフレームの第２のシンボルおよび第３のサブフレームの第２のシンボルのうちの少なくとも１つを使用することによって伝送される。
【００５３】
図３に示す方法は、図２Ｂに示すシステムアーキテクチャまたは同様のアーキテクチャに適用されてもよいことが理解されよう。図２Ｂに示すシステムアーキテクチャが使用されるとき、本発明の本実施形態の解決手段は、任意の２つの端末によって実装されてよい。
【００５４】
図４は、本発明の一実施形態に係る別のダウンリンク伝送方法の概略フローチャートである。図４に示す方法において、図３に示す方法と同じまたは同様の内容については図３の関連する詳細な説明を参照されたく、ここでは、詳細は再度説明しないことに留意すべきである。
【００５５】
４０１部分において、基地局はブロードキャストメッセージを配信し、ブロードキャストメッセージは無線フレームのタイプ指標を保持する。タイプ指標は、使用される無線フレームが、可変帯域幅を有する無線フレームか否かを示すために使用される。ブロードキャストメッセージの配信前に、基地局はまず、可変帯域幅を有する無線フレームを決定することが理解されよう。可変帯域幅を有する無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さい。
【００５６】
一例において、無線フレームのタイプ指標は、ビットを使用することによって、または別の方式で表されてよい。例えば、ビット０は、使用される無線フレームが、固定帯域幅を有する無線フレームであることを示し、ビット１は、使用される無線フレームが、可変帯域幅を有する無線フレームであることを示す。当然ながら、それに代えて、ビット０が、可変帯域幅を有する無線フレームを示し、ビット１が、固定帯域幅を有する無線フレームを示してもよい。
【００５７】
４０２部分において、ブロードキャストメッセージの受信後、端末は、ブロードキャストメッセージに保持された、無線フレームのタイプ指標に基づいて、使用される無線フレームが、可変帯域幅を有する無線フレームか否かを決定する。使用される無線フレームが、可変帯域幅を有する無線フレームである場合、４０３部分を実行し、使用される無線フレームが、可変帯域幅を有する無線フレームではない場合、４０７部分を実行する。
【００５８】
４０３部分において、端末は、可変帯域幅を有する無線フレームがサポートされているか否かを決定する。可変帯域幅を有する無線フレームがサポートされている場合、４０４部分を実行し、可変帯域幅を有する無線フレームがサポートされていない場合、４０７部分を実行する。
【００５９】
４０４部分において、端末は、ブロードキャストメッセージ内の、可変帯域幅を有する無線フレームについての情報を読み出す。端末は、可変帯域幅を有する無線フレームについての情報を読み出すことによって、可変帯域幅を有する無線フレームを決定する。具体的には、可変帯域幅を有する無線フレームが、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さいと、端末は決定する。
【００６０】
４０５部分において、第１のシンボル、第１のサブフレーム、および第３のサブフレームのうちの少なくとも１つの、可変帯域幅を有する無線フレームにおける時間ドメイン位置についての情報が、ダウンリンク方向に伝送される。次に、端末は、シンボル粒度および／またはサブフレーム粒度で時間ドメイン位置を認識してよい。例えば、シンボル粒度では、端末は、第１のシンボルの、可変帯域幅を有する無線フレームにおける時間ドメイン位置を認識してよい。別の例において、サブフレーム粒度では、可変帯域幅を有する無線フレームが第１のサブフレームおよび第３のサブフレームのうちの少なくとも１つを有するとき、端末は、第１のサブフレームおよび第３のサブフレームのうちの少なくとも１つの、可変帯域幅を有する無線フレームにおける時間ドメイン位置を認識してよい。
【００６１】
一例において、第２のシンボルの、可変帯域幅を有する無線フレームにおける時間ドメイン位置についての情報もまた、ダウンリンク方向に伝送されてよく、これにより、端末は、第１のシンボルの、可変帯域幅を有する無線フレームにおける時間ドメイン位置を認識する。例えば、４０１部分で基地局によって配信されたブロードキャストメッセージは、第２のシンボルの、可変帯域幅を有する無線フレームにおける時間ドメイン位置についての情報を保持する。あるいは、端末は、第１のシンボルおよび第２のシンボルの、可変帯域幅を有する無線フレームにおける時間ドメイン位置を同時に認識してよい。
【００６２】
別の例において、可変帯域幅を有する無線フレームが第３のサブフレームを有するとき、端末はさらに、第３のサブフレームにおける第１のシンボルおよび第２のシンボルの時間ドメイン位置を認識してよい。例えば、端末は、４０４部分において読み出された、可変帯域幅を有する無線フレームについての情報に基づいて、第３のサブフレームにおける第１のシンボルの分布を認識してよく、次に、第３のサブフレームにおける第２のシンボルの分布を認識してよい。または、端末は、上記の読み出された情報に基づいて、第３のサブフレームにおける第２のシンボルの分布を認識してよく、次に、第３のサブフレームにおける第１のシンボルの分布を認識してよい。または、端末は、上記の読み出された情報に基づいて、第３のサブフレームにおける第１のシンボルおよび第２のシンボルの分布を同時に認識してよい。
【００６３】
さらに別の例では、基地局は代替的に、時間ドメイン位置のシステム情報をブロードキャストメッセージに追加してよく、これにより、端末は、システム情報に基づいて、第１のシンボル、第１のサブフレーム、および第３のサブフレームのうちの少なくとも１つの、可変帯域幅を有する無線フレームにおける時間ドメイン位置を認識してよい。
【００６４】
さらに別の例では、基地局は代替的に、システムメッセージまたは無線リソース制御（Ｒａｄｉｏ  Ｒｅｓｏｕｒｃｅ  Ｃｏｎｔｒｏｌ、略してＲＲＣ）シグナリングを使用することによって、第１のシンボル、第１のサブフレーム、および第３のサブフレームのうちの少なくとも１つの、可変帯域幅を有する無線フレームにおける時間ドメイン位置についての情報を端末に送信してよく、代替的に、現在のキャリアについて、基地局は、別のキャリアを使用することによって、現在のキャリア内の第１のシンボル、第１のサブフレーム、および第３のサブフレームのうちの少なくとも１つの、可変帯域幅を有する無線フレームにおける時間ドメイン位置についての情報を端末に送信してよい。例えば、ＲＲＣシグナリングを使用することによって情報を送信するとき、基地局は、ＲＲＣ共通シグナリングを使用することによって複数の端末に通知してよく、または、基地局は、ＲＲＣ専用シグナリングを使用することによって１つの端末に通知してもよい。これに対応して、端末は、ＲＲＣ共通シグナリングまたはＲＲＣ専用シグナリングに基づいて時間ドメイン位置についての情報を認識してよい。
【００６５】
４０６部分において、基地局および端末は、可変帯域幅を有する無線フレームに基づいてダウンリンク伝送を行う。
【００６６】
一例において、同期信号、ＰＢＣＨ上で搬送される情報、ＰＤＣＣＨ上で搬送される情報、ＣＲＳ、およびシステム情報のうちの少なくとも１つが、第１のサブフレームの第１のシンボルおよび第３のサブフレームの第１のシンボルのうちの少なくとも１つを使用することによって伝送される。具体的には、信号または情報は、帯域幅オーバーヘッドを低減することによって信号または情報の送信電力を大きくするよう、比較的小さい帯域幅を有する第１のシンボルを使用することによって伝送されてよく、それによって信号または情報のカバレッジエリアが拡大される。第２のサブフレームの第２のシンボルおよび第３のサブフレームの第２のシンボルのうちの少なくとも１つを使用することによって、データ信号がさらに伝送されてよい。具体的には、データ信号は、比較的大きい帯域幅を有する第２のシンボルを使用することによって伝送されてよい。
【００６７】
４０７部分において、基地局および端末は、固定帯域幅を有する無線フレームに基づいてダウンリンク伝送を行う。
【００６８】
本発明の本実施形態において提供される方法における可変帯域幅を有する無線フレームは、以下の特徴のうちの１つまたはそれらの任意の組み合わせを有してよいことに留意すべきである。
【００６９】
中心周波数：第１のシンボルの中心周波数は、第２のシンボルの中心周波数と同じであってよい。例えば図５Ａに示すように、第１のシンボルの中心周波数および第２のシンボルの中心周波数は共に周波数ｆ０である。あるいは、第１のシンボルの中心周波数は、第２のシンボルの中心周波数と異なっていてよい。具体的には、第１のシンボルの中心周波数と第２の周波数の中心周波数との間には周波数のずれがある。例えば、図５Ｂに示すように、第１のシンボルの中心周波数は、周波数ｆ１であり、第２のシンボルの中心周波数は、ｆ２である。ここで、ｆ１は、ｆ２より大きくてよく、またはｆ２より小さくてもよい。
【００７０】
帯域幅：第１のシンボルの第１の帯域幅および第２のシンボルの第２の帯域幅の両方は、第１の帯域幅が第２の帯域幅より小さいのであれば、任意の帯域幅であってよい。例えば、ＬＴＥシステムにおいて、第１の帯域幅が１．４ＭＨｚであるとき、第２の帯域幅は、３ＭＨｚ、５ＭＨｚ、１０ＭＨｚ、１５ＭＨｚ、または２０ＭＨｚであってよく、第１の帯域幅が３ＭＨｚであるとき、第２の帯域幅は、５ＭＨｚ、１０ＭＨｚ、１５ＭＨｚ、または２０ＭＨｚであってよい。あるいは、第１の帯域幅または第２の帯域幅は、任意の他の既存の通信システムの帯域幅であってよく、または、将来出現し得る通信システムの帯域幅、例えば５Ｇシステムで可能な帯域幅であってよい。
【００７１】
サブフレームタイプ：一例において、第１のサブフレームは、マルチメディアブロードキャストマルチキャストサービス単一周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、略してＭＢＳＦＮ）サブフレームであってよく、または、第３のサブフレームも同様にＭＢＳＦＮサブフレームであってよい。任意選択で、ＭＢＳＦＮサブフレームのＭＢＳＦＮ領域は、第１のシンボルを含む。ＭＢＳＦＮサブフレームは、ＭＢＳＦＮ参照信号を伝送するために使用されてよい。ＭＢＳＦＮ参照信号に関する内容については、プロトコル３６．２１１における関連する説明を参照されたい。
【００７２】
巡回プレフィックス（Ｃｙｃｌｉｃ  Ｐｒｅｆｉｘ、略してＣＰ）：含まれるシンボルは、ノーマル巡回プレフィックス（ｎｏｒｍａｌ  ＣＰ）または拡張巡回プレフィックス（ｅｘｔｅｎｄｅｄ  ＣＰ）を含んでよい。
【００７３】
本発明の実施形態において提供される、可変帯域幅を有する無線フレームは、さらなる添付図面を参照して以下でさらに説明される。
【００７４】
以下の説明において、適用シナリオがＴＤＤシステムであり、巡回プレフィックスがノーマル巡回プレフィックスであり、第１のシンボルの中心周波数が第２のシンボルの中心周波数と同じである例が説明に使用される。
【００７５】
図６Ａから図６Ｄは、本発明の一実施形態に係る、可変帯域幅を有する無線フレームの概略図である。本発明の本実施形態において、可変帯域幅を有する無線フレームは、第１のサブフレーム、第２のサブフレームおよび第３のサブフレームのうちの少なくとも２つを有してよい。例えば、図６Ａに示すように、可変帯域幅を有する無線フレームは、第１のサブフレームおよび第２のサブフレームを有してよい。別の例では、図６Ｂに示すように、可変帯域幅を有する無線フレームは、第１のサブフレームおよび第３のサブフレームを有してよい。別の例では、図６Ｃに示すように、可変帯域幅を有する無線フレームは、第２のサブフレームおよび第３のサブフレームを有してよい。別の例では、図６Ｄに示すように、可変帯域幅を有する無線フレームは、第１のサブフレーム、第２のサブフレーム、および第３のサブフレームを有してよい。図６Ａから図６Ｄにおいて別々に示された、可変帯域幅を有する無線フレームに含まれる３タイプのサブフレームの数および配列方式は一例に過ぎず、これは本発明の本実施形態を限定するものではないことが理解されよう。
【００７６】
可変帯域幅を有する無線フレームに基づいてダウンリンク伝送が行われるとき、フィルタを使用することによって、基地局が無線フレームの帯域幅の変更を制御してよい。例えば、基地局は、時変フィルタを使用することによって、第１のシンボルを伝送するときは第１の帯域幅を使用し、第２のシンボルを伝送するときは第２の帯域幅を使用してよい。別の例では、基地局は、それぞれ異なるフィルタを使用することによって伝送を行ってよい。ここで、一方のフィルタは第１の帯域幅に対応し、他方のフィルタは第２の帯域幅に対応する。前者のフィルタは、第１のシンボルが伝送されるときに使用され、後者のフィルタは、第２のシンボルが伝送されるときに使用される。
【００７７】
図６Ａから図６Ｄに示された３タイプのサブフレームは一例に過ぎず、サブフレームの帯域幅等を限定するものではないことに留意すべきである。３タイプのサブフレームは、図７に関連して以下で説明される。
【００７８】
図７において、第１のシンボルおよび第２のシンボルが同じ中心周波数ｆ０を有する例が、説明に使用される。図７に示すように、第１のサブフレームは１４個の第１のシンボルを含み、第２のサブフレームは１４個の第２のシンボルを含み、第３のサブフレームは、７個の第１のシンボルおよび７個の第２のシンボルを含む。ここで、７個の第１のシンボルは、７個の第２のシンボルの前に配列される。当然ながら、３タイプのサブフレームに含まれるシンボル数は、代替的に他の個数であってよい。このことは、本発明の本実施形態において限定されない。図７に示す第３のサブフレームにおいて、含まれる第１のシンボルおよび第２のシンボルの数および配列順序は一例に過ぎず、これは本発明の本実施形態を限定するものではないことに留意すべきである。３タイプのサブフレームは、第１のシンボルおよび／または第２のシンボルに加えて、別のタイプのシンボルを含んでよいことが理解されよう。
【００７９】
本発明の実施形態において提供される解決手段において、可変帯域幅を有する無線フレームが、第１のサブフレームおよび第３のサブフレームのうちの少なくとも１つを有するとき、共通チャネル上で搬送される共通信号および／または情報は、帯域幅オーバーヘッドを低減することによって共通チャネル上で搬送される共通信号および／または情報の送信電力を大きくするよう、第１のサブフレームの第１のシンボルおよび第３のサブフレームの第１のシンボルのうちの少なくとも１つを使用することによって伝送されてよく、それによってカバレッジエリアを拡大する。例えば、同期信号、ＰＢＣＨ上で搬送される情報、ＰＤＣＣＨ上で搬送される情報、ＣＲＳ、およびシステム情報のうちの少なくとも１つが、第１のサブフレームの第１のシンボルおよび第３のサブフレームの第１のシンボルのうちの少なくとも１つを使用することによって伝送されてよい。
【００８０】
一例において、ＣＲＳが第１のサブフレームの第１のシンボルおよび第３のサブフレームの第１のシンボルのうちの少なくとも１つを使用することによって伝送されるとき、ＣＲＳの参照信号シーケンスは、以下の方式で決定されてよい。
【００８１】
まず基本シーケンスが生成される。
【００８２】
一例において、基本シーケンスは、ランダムシーケンスを使用することによって、例えば、以下の式を使用することによって生成されてよい。
【数１】
2019510427.tif 000003
式中、ｎｓは、無線サブフレームのタイムスロットを表し、
【数２】
2019510427.tif 000004
は、（例えばタイムスロットに対応するシンボルを使用することによって知り得る）時間ドメインにおける参照信号の位置を表し、
【数３】
2019510427.tif 000005
は、最大のダウンリンク帯域幅を表し、ｃ（ｉ）は、疑似ランダムシーケンス（具体的な情報については、３ＧＰＰプロトコル３６．２１１の７．２章の内容を参照されたい）を表す。
【００８３】
次に、リソース要素がマッピングされる。
【００８４】
基本シーケンスｒｌ，ｎｓ（ｍ）は、複素変調シンボル
【数４】
2019510427.tif 000006
にマッピングされる。ここで、
【数５】
2019510427.tif 000007
は、タイムスロットｎｓにおけるアンテナポートｐの参照シンボルとして使用され、具体的には、
【数６】
2019510427.tif 000008
であり、式中、
【数７】
2019510427.tif 000009
である。
【００８５】
変数ｖおよびｖｓｈｉｆｔは、異なる参照信号の周波数ドメイン位置を定義し、
【数８】
2019510427.tif 000010
であり、
【数９】
2019510427.tif 000011
である。式中、ｋは、周波数ドメインにおける参照信号の位置であり、
【数１０】
2019510427.tif 000012
は、時間ドメインにおける参照信号の位置であり、ｐは、アンテナポートであり、
【数１１】
2019510427.tif 000013
は、ダウンリンクタイムスロットに含まれるシンボル数（例えば、ＬＴＥシステムにおいては、ノーマルＣＰでは７であり、または、拡張ＣＰでは６である）であり、
【数１２】
2019510427.tif 000014
は、ダウンリンク帯域幅設定でのダウンリンクＲＢ数であると理解されよう。例えば、２０Ｍは１００個のＲＢに対応し、１．４Ｍは、６個のＲＢに対応する。例えば、第１の帯域幅に対応するダウンリンクＲＢ数は、ダウンリンク帯域幅を設定するために使用されてよく、これにより、ＣＲＳの参照信号シーケンスは、第１の帯域幅に基づいて決定されてよい。
【００８６】
図８Ａおよび図８Ｂに関連して、以下で、
【数１３】
2019510427.tif 000015
が第１の帯域幅であり、第１の帯域幅が１．４Ｍである例が説明に使用される。図８Ａに示すように、基本シーケンスがリソース要素にマッピングされた後、第１の帯域幅は６個のＲＢに対応する。図８Ｂに示すように、１個のＲＢは、時間ドメイン（横方向）の１４個のシンボルに対応し、周波数ドメイン（縦方向）の１２個のサブキャリアに対応する。１個のＲＢ上のＣＲＳの参照信号の分布が図８Ｂに示されている。第１の帯域幅が６個のＲＢに対応するとき、時間ドメインの一シンボルにおいて保持されるＣＲＳの参照信号シーケンスは、当該シンボルに対応する６×１２個のサブキャリア上に分布しているＣＲＳの参照信号を含む。
【００８７】
上記において、本発明の実施形態において提供される解決手段は、主に基地局と端末との間のインタラクションの観点から説明されている。上述の機能を実装すべく、基地局および端末は、機能を実行するための対応するハードウェア構造および／またはソフトウェアモジュールを備えることが理解されよう。本発明の実施形態において説明される例のユニットおよびアルゴリズムのステップに関連して、本発明の実施形態は、ハードウェア、またはハードウェアとコンピュータソフトウェアとの組み合わせを使用することによって実装され得る。機能がハードウェアによって実行されるのか、ハードウェアを駆動するコンピュータソフトウェアによって実行されるのかは、技術的解決手段の特定の用途および設計制約条件で決まる。当業者は、特定の用途ごとに異なる方法を使用して、説明された機能を実装してよいが、それらの実装例は、本発明の実施形態の技術的解決手段の範囲を越えるものとみなされるべきではない。
【００８８】
図９は、本発明の一実施形態に係る可能な無線通信装置の概略構造図である。図９に示す無線通信装置９００は、上述の実施形態において言及した基地局、第１の端末、または第２の端末であってよい。
【００８９】
装置９００は、送信機／受信機９０１とプロセッサ９０２とを備える。プロセッサ９０２は代替的にコントローラであってよく、図９では「コントローラ／プロセッサ９０２」と表される。以下では、装置９００が基地局である例が説明に使用される。送信機／受信機９０１は、基地局が上述の実施形態の端末と情報を送受信するのをサポートし、端末が別の端末と無線通信を行うのをサポートするよう構成される。プロセッサ９０２は、端末との通信を行うための様々な機能を実行する。アップリンクでは、端末からのアップリンク信号は、アンテナを使用することによって受信され、受信機９０１によって復調され（例えば、高周波信号がベースバンド信号へと復調される）、さらに、プロセッサ９０２によって処理されて、端末によって送信されたサービスデータおよびシグナリング情報が復元される。ダウンリンクでは、サービスデータおよびシグナリング情報は、プロセッサ９０２によって処理され、送信機９０１によって変調されて（例えば、ベースバンド信号が高周波信号へと変調される）、ダウンリンク信号が生成される。ダウンリンク信号は、アンテナを使用することによって端末に送信される。復調機能または変調機能はまた、プロセッサ９０２によって実装されてよいことに留意すべきである。プロセッサ９０２はさらに、図３から図８Ｂにおける基地局に関する処理プロセス、および／または、本出願において説明された技術的解決手段に使用される別のプロセスを実行する。一例において、プロセッサ９０２は、基地局が図３における部分３０１および３０２と、図４における手順４０１、４０５、４０６、および４０７とを実行するのをサポートするよう構成される。
【００９０】
その上、装置９００はさらにメモリ９０３を備えてよい。メモリ９０３は、装置９００のプログラムコードおよびデータを記憶するよう構成される。
【００９１】
装置９００が基地局であるとき、基地局はさらに通信ユニット９０４を備えてよい。通信ユニット９０４は、基地局が別のネットワークエンティティ（例えば、コアネットワークのネットワークデバイス）と通信を行うのをサポートするよう構成される。例えば、ＬＴＥシステムにおいて、通信ユニット９０４はＳ１−Ｕインタフェースであってよく、基地局がサービングゲートウェイ（Ｓｅｖｅｒｉｎｇ  Ｇａｔｅｗａｙ、略してＳＧＷ）と通信を行うのをサポートするよう構成されており、または、通信ユニット９０４はＳ１−ＭＭＥインタフェースであってよく、基地局がモビリティ管理エンティティ（Ｍｏｂｉｌｉｔｙ  Ｍａｎａｇｅｍｅｎｔ  Ｅｎｔｉｔｙ、略してＭＭＥ）と通信を行うのをサポートするよう構成されている。
【００９２】
図９では、装置９００の簡略化された設計のみが示されていることが理解されよう。実際の適用時には、装置９００は、任意の数の送信機、受信機、プロセッサ、コントローラ、メモリ、および通信ユニット等を備えてよい。本発明の実施形態を実装できるすべての基地局が、本発明の実施形態の保護範囲に含まれる。
【００９３】
図１０は、上述の実施形態の端末の可能な設計構造の簡略化された概略図である。端末１０００は、送信機１００１と受信機１００２とプロセッサ１００３とを備える。プロセッサ１００３は代替的にコントローラであってよく、図１０では「コントローラ／プロセッサ１００３」と表される。任意選択で、端末１０００はさらに、モデムプロセッサ１００５を備えてよい。モデムプロセッサ１００５は、エンコーダ１００６、変調器１００７、デコーダ１００８、および復調器１００９を有してよい。
【００９４】
送信機１００１は、出力サンプリングを（アナログ変換、フィルタリング、増幅、およびアップコンバージョンなどによって）調整し、アップリンク信号を生成する。アップリンク信号は、アンテナを使用することによって、上述の実施形態の基地局に送信される。ダウンリンクでは、アンテナは、上述の実施形態の基地局によって送信されたダウンリンク信号を受信する。受信機１００２は、アンテナから受信された信号を（フィルタリング、増幅、ダウンコンバージョン、およびデジタル化などによって）調整し、入力サンプリングを提供する。モデムプロセッサ１００５において、エンコーダ１００６は、アップリンクにおいて送信されるべきサービスデータおよびシグナリング情報を受け取り、サービスデータおよびシグナリング情報を（フォーマット化、符号化、およびインターリーブなどによって）処理する。変調器１００７はさらに、符号化されたサービスデータおよび符号化されたシグナリング情報を（シンボルのマッピングおよび変調などによって）処理し、出力サンプリングを提供する。復調器１００９は、入力サンプリングを（復調などによって）処理し、シンボル推定を提供する。デコーダ１００８は、シンボル推定を（デインターリーブおよび復号などによって）処理し、端末１０００に送られる復号されたデータおよび復号されたシグナリング情報を提供する。エンコーダ１００６、変調器１００７、復調器１００９、およびデコーダ１００８は、一体化したモデムプロセッサ１００５によって実装されてよい。これらのユニットは、無線アクセスネットワークによって使用される（ＬＴＥのアクセス技術または別の進化したシステムなどの）無線アクセス技術に基づいて処理を実行する。端末１０００がモデムプロセッサ１００５を備えないとき、モデムプロセッサ１００５の上述の機能は、代替的に、プロセッサ１００３によって実装されてよいことに留意すべきである。
【００９５】
プロセッサ１００３は、端末１０００の動作を制御および管理し、上述の実施形態の端末１０００によって実行される処理を実行するよう構成される。例えば、プロセッサ１００３は、可変帯域幅を有する無線フレームまたは固定帯域幅を有する無線フレームに基づいてダウンリンク伝送を行うように端末１０００を制御するよう構成される。一例において、プロセッサ１００３は、端末１０００が図３の手順３０１および３０２と、図４の手順４０２、４０３、４０４、４０５、４０６、および４０７とを実行するのをサポートするよう構成される。
【００９６】
その上、端末１０００はさらにメモリ１００４を備えてよい。メモリ１００４は、端末１０００のプログラムコードおよびデータを記憶するよう構成される。
【００９７】
本発明の実施形態の上述の基地局または端末の機能を実行するよう構成されるプロセッサは、中央演算処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブルロジックデバイス、トランジスタロジックデバイス、ハードウェアコンポーネント、またはそれらの任意の組み合わせであってよい。プロセッサは、本発明の実施形態において開示された内容に関連して説明された論理ブロック、モジュール、および回路の様々な例を実装または実行してよい。プロセッサは、代替的に、計算機能を実装する組み合わせ、例えば、１または複数のマイクロプロセッサを含む組み合わせ、または、ＤＳＰとマイクロプロセッサとの組み合わせであってよい。
【００９８】
本発明の実施形態において開示された内容に関連して説明された方法またはアルゴリズムのステップは、ハードウェア方式で実装されてよく、または、プロセッサがソフトウェア命令を実行する方式で実装されてもよい。ソフトウェア命令は、対応するソフトウェアモジュールを有してよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ−Ｏｎｌｙ  Ｍｅｍｏｒｙ、ＲＯＭ）、消去可能プログラマブルリードオンリメモリ（Ｅｒａｓａｂｌｅ  Ｐｒｏｇｒａｍｍａｂｌｅ  ＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスク、リードオンリメモリ（ＣＤ−ＲＯＭ）、または当該技術分野において周知の任意の他の形態の記憶媒体に記憶されてよい。一例として使用される記憶媒体は、プロセッサに結合され、これにより、プロセッサは、記憶媒体から情報を読み出すことができ、記憶媒体に情報を書き込むことができる。当然ながら、記憶媒体は代替的にプロセッサの一部であってよい。プロセッサおよび記憶媒体は、ＡＳＩＣに位置付けられてよい。加えて、ＡＳＩＣは、基地局または端末に位置付けられてよい。当然ながら、プロセッサおよび記憶媒体はまた、個別のコンポーネントとして基地局または端末に存在してよい。
【００９９】
上述の例の１または複数のものにおいて、本発明の実施形態において説明された機能が、ハードウェア、ソフトウェア、ファームウェア、またはそれらの任意の組み合わせを使用することによって実装されてよいことを当業者は認識されたい。本出願がソフトウェアによって実装されるとき、これらの機能は、コンピュータ可読媒体に記憶されてよく、または、コンピュータ可読媒体における１または複数の命令またはコードとして伝送されてもよい。コンピュータ可読媒体は、コンピュータ記憶媒体および通信媒体を含む。ここで、通信媒体は、コンピュータプログラムをある場所から別の場所へと伝送可能な任意の媒体を含む。記憶媒体は、一般的なコンピュータまたは専用コンピュータがアクセス可能な任意の利用可能な媒体であってよい。
【０１００】
本発明の実施形態の目的、技術的解決手段、および有益な効果がさらに、上述の具体的な実装例において詳細に説明されている。上述の説明は、本発明の実施形態の具体的な実装例に過ぎず、本発明の実施形態の保護範囲を限定することを意図しないことを理解されたい。本発明の実施形態の技術的解決手段に基づいて成されたあらゆる変更、等価な置き換え、または改良は、本発明の実施形態の保護範囲に含まれるものとする。
【図１】
2019510427.tif 000016
【図２Ａ】
2019510427.tif 000017
【図２Ｂ】
2019510427.tif 000018
【図３】
2019510427.tif 000019
【図４】
2019510427.tif 000020
【図５Ａ】
2019510427.tif 000021
【図５Ｂ】
2019510427.tif 000022
【図６Ａ】
2019510427.tif 000023
【図６Ｂ】
2019510427.tif 000024
【図６Ｃ】
2019510427.tif 000025
【図６Ｄ】
2019510427.tif 000026
【図７】
2019510427.tif 000027
【図８Ａ】
2019510427.tif 000028
【図８Ｂ】
2019510427.tif 000029
【図９】
2019510427.tif 000030
【図１０】
2019510427.tif 000031
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ダウンリンク伝送方法であって、
無線フレームを決定する段階であって、前記無線フレームは、第１のサブフレーム、第２のサブフレーム、および第３のサブフレームのうちの少なくとも２つを有し、前記第１のサブフレームは第１のシンボルを含み、前記第２のサブフレームは第２のシンボルを含み、前記第３のサブフレームは前記第１のシンボルおよび前記第２のシンボルを含み、前記第１のシンボルの帯域幅は第１の帯域幅であり、前記第２のシンボルの帯域幅は第２の帯域幅であり、前記第１の帯域幅は、前記第２の帯域幅より小さい、段階と、
前記無線フレームに基づいてダウンリンク伝送を行う段階と、
を備える
方法。
【請求項２】
前記無線フレームは、前記第１のサブフレームおよび前記第３のサブフレームのうちの少なくとも１つを有し、前記無線フレームに基づいてダウンリンク伝送を行う前記段階は、
同期信号、物理ブロードキャストチャネル（ＰＢＣＨ）上で搬送される情報、物理ダウンリンク制御チャネル（ＰＤＣＣＨ）上で搬送される情報、セル固有参照信号（ＣＲＳ）、およびシステム情報のうちの少なくとも１つを、前記第１のサブフレームの前記第１のシンボルおよび前記第３のサブフレームの前記第１のシンボルのうちの少なくとも１つを使用することによって伝送する段階を有する、
請求項１に記載の方法。
【請求項３】
前記ＣＲＳは、前記第１のサブフレームの前記第１のシンボルおよび前記第３のサブフレームの前記第１のシンボルのうちの少なくとも１つを使用することによって伝送され、前記方法はさらに、
前記第１の帯域幅に基づいて前記ＣＲＳの参照信号シーケンスを決定する段階を備える、
請求項２に記載の方法。
【請求項４】
前記第１のシンボル、前記第１のサブフレーム、および前記第３のサブフレームのうちの少なくとも１つの、前記無線フレームにおける時間ドメイン位置についての情報をダウンリンク方向に伝送する段階
をさらに備える
請求項１から３のいずれか一項に記載の方法。
【請求項５】
前記第１のシンボル、前記第１のサブフレーム、および前記第３のサブフレームのうちの少なくとも１つの、前記無線フレームにおける時間ドメイン位置についての情報をダウンリンク方向に伝送する前記段階は、
前記第１のシンボル、前記第１のサブフレーム、および前記第３のサブフレームのうちの少なくとも１つの、前記無線フレームにおける前記時間ドメイン位置についての前記情報を、システムメッセージを使用することによって伝送する段階、または、
前記第１のシンボル、前記第１のサブフレーム、および前記第３のサブフレームのうちの少なくとも１つの、前記無線フレームにおける前記時間ドメイン位置についての前記情報を、無線リソース制御（ＲＲＣ）シグナリングを使用することによって伝送する段階、または、
現在のキャリア内の前記第１のシンボル、前記第１のサブフレーム、および前記第３のサブフレームのうちの少なくとも１つの、前記無線フレームにおける前記時間ドメイン位置についての前記情報を、別のキャリアを使用することによって伝送する段階
を有する、
請求項４に記載の方法。
【請求項６】
前記第１のシンボルの中心周波数は、前記第２のシンボルの中心周波数と同じである、
請求項１から５のいずれか一項に記載の方法。
【請求項７】
前記第１のサブフレームおよび前記第３のサブフレームのうちの少なくとも１つは、マルチメディアブロードキャストマルチキャストサービス単一周波数ネットワーク（ＭＢＳＦＮ）サブフレームである、
請求項１から６のいずれか一項に記載の方法。
【請求項８】
前記第１の帯域幅は１．４ＭＨｚであり、前記第２の帯域幅は、３ＭＨｚ、５ＭＨｚ、１０ＭＨｚ、１５ＭＨｚ、または２０ＭＨｚである、
請求項１から７のいずれか一項に記載の方法。
【請求項９】
プロセッサおよび送信機を備える無線通信装置であって、
前記プロセッサは、無線フレームを決定するよう構成され、前記無線フレームは、第１のサブフレーム、第２のサブフレーム、および第３のサブフレームのうちの少なくとも２つを有し、前記第１のサブフレームは第１のシンボルを含み、前記第２のサブフレームは第２のシンボルを含み、前記第３のサブフレームは前記第１のシンボルおよび前記第２のシンボルを含み、前記第１のシンボルの帯域幅は第１の帯域幅であり、前記第２のシンボルの帯域幅は第２の帯域幅であり、前記第１の帯域幅は、前記第２の帯域幅より小さく、
前記送信機は、前記無線フレーム上で搬送されるダウンリンク情報を伝送するよう構成される、
装置。
【請求項１０】
前記送信機は、前記第１のサブフレームの前記第１のシンボルおよび前記第３のサブフレームの前記第１のシンボルのうちの少なくとも１つにおいて搬送される同期信号、物理ブロードキャストチャネル（ＰＢＣＨ）上で搬送される情報、物理ダウンリンク制御チャネル（ＰＤＣＣＨ）上で搬送される情報、セル固有参照信号（ＣＲＳ）、およびシステム情報のうちの少なくとも１つを送信するよう構成される、
請求項９に記載の装置。
【請求項１１】
前記プロセッサはさらに、前記送信機が、前記第１のサブフレームの前記第１のシンボルおよび前記第３のサブフレームの前記第１のシンボルのうちの少なくとも１つにおいて搬送される前記ＣＲＳを送信する前、前記第１の帯域幅に基づいて前記ＣＲＳの参照信号シーケンスを決定するよう構成される、
請求項１０に記載の装置。
【請求項１２】
前記送信機はさらに、前記第１のシンボル、前記第１のサブフレーム、および前記第３のサブフレームのうちの少なくとも１つの、前記無線フレームにおける時間ドメイン位置についての情報を送信するよう構成される、
請求項９から１１のいずれか一項に記載の装置。
【請求項１３】
前記送信機は、前記第１のシンボル、前記第１のサブフレーム、および前記第３のサブフレームのうちの少なくとも１つの、前記無線フレームにおける前記時間ドメイン位置についての前記情報を、システムメッセージを使用することによって送信するよう構成されるか、または、前記送信機は、前記第１のシンボル、前記第１のサブフレーム、および前記第３のサブフレームのうちの少なくとも１つの、前記無線フレームにおける前記時間ドメイン位置についての前記情報を、無線リソース制御（ＲＲＣ）シグナリングを使用することによって送信するよう構成されるか、または、前記送信機は、現在のキャリア内の前記第１のシンボル、前記第１のサブフレーム、および前記第３のサブフレームのうちの少なくとも１つの、前記無線フレームにおける前記時間ドメイン位置についての前記情報を別のキャリアを使用することによって送信するよう構成される、
請求項１２に記載の装置。
【請求項１４】
プロセッサおよび受信機を備える無線通信装置であって、
前記プロセッサは、無線フレームを決定するよう構成され、前記無線フレームは、第１のサブフレーム、第２のサブフレーム、および第３のサブフレームのうちの少なくとも２つを有し、前記第１のサブフレームは第１のシンボルを含み、前記第２のサブフレームは第２のシンボルを含み、前記第３のサブフレームは前記第１のシンボルおよび前記第２のシンボルを含み、前記第１のシンボルの帯域幅は第１の帯域幅であり、前記第２のシンボルの帯域幅は第２の帯域幅であり、前記第１の帯域幅は、前記第２の帯域幅より小さく、
前記受信機は、前記無線フレーム上で搬送されるダウンリンク情報を受信するよう構成される、
装置。
【請求項１５】
前記受信機は、前記第１のサブフレームの前記第１のシンボルおよび前記第３のサブフレームの前記第１のシンボルのうちの少なくとも１つにおいて搬送される同期信号、物理ブロードキャストチャネル（ＰＢＣＨ）上で搬送される情報、物理ダウンリンク制御チャネル（ＰＤＣＣＨ）上で搬送される情報、セル固有参照信号（ＣＲＳ）、およびシステム情報のうちの少なくとも１つを受信するよう構成される、
請求項１４に記載の装置。
【請求項１６】
前記プロセッサはさらに、前記第１の帯域幅に基づいて前記ＣＲＳの参照信号シーケンスを決定するよう構成される、
請求項１５に記載の装置。
【請求項１７】
前記受信機はさらに、前記第１のシンボル、前記第１のサブフレーム、および前記第３のサブフレームのうちの少なくとも１つの、前記無線フレームにおける時間ドメイン位置についての情報を受信するよう構成される、
請求項１４から１６のいずれか一項に記載の装置。
【請求項１８】
前記受信機は、前記第１のシンボル、前記第１のサブフレーム、および前記第３のサブフレームのうちの少なくとも１つの、前記無線フレームにおける前記時間ドメイン位置についての前記情報であって、システムメッセージを使用することによって送信された前記情報を受信するよう構成されるか、または、前記受信機は、前記第１のシンボル、前記第１のサブフレーム、および前記第３のサブフレームのうちの少なくとも１つの、前記無線フレームにおける前記時間ドメイン位置についての前記情報であって、無線リソース制御（ＲＲＣ）シグナリングを使用することによって送信された前記情報を受信するよう構成されるか、または、前記受信機は、現在のキャリア内の前記第１のシンボル、前記第１のサブフレーム、および前記第３のサブフレームのうちの少なくとも１つの、前記無線フレームにおける前記時間ドメイン位置についての前記情報であって、別のキャリアを使用することによって送信された前記情報を受信するよう構成される、
請求項１７に記載の装置。
【請求項１９】
コンピュータによって実行されると、請求項１から８のいずれか一項に記載の方法を前記コンピュータに実行させる命令を備えるコンピュータ可読記憶媒体。
【請求項２０】
請求項１から８のいずれか一項に記載の方法をコンピュータに実行させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、特には、ダウンリンク伝送方法、装置、およびシステムに関する。
【背景技術】
【０００２】
無線通信システムでは、無線信号の伝送距離はキャリア周波数に関係している。キャリア周波数が高いほど、空間における伝送中の無線信号はより急速に減衰し、伝送距離はより短くなる。既存のロングタームエボリューション（ＬＴＥ）システムでは、無指向性ビームを使用することによって、異なるタイプの情報はすべて、対応する時間周波数リソース位置上で伝送される。主な動作帯域は低周波数帯域なので、異なるタイプの情報はカバレッジ上何の問題も有さない。しかしながら、キャリア周波数が高くなるにつれ、高周波伝送中、無線信号はより急速に減衰してしまう。この場合、いくつかのタイプの情報のカバレッジを改善するよう、指向性ビームが導入される。しかしながら、これにより、異なるタイプの情報のカバレッジエリアの差が大きくなってしまう。
【発明の概要】
【０００３】
本発明の実施形態は、共通チャネルおよび共通信号のカバレッジを改善するためのダウンリンク伝送方法、装置、およびシステムを説明する。
【０００４】
１つの態様においては、本発明の一実施形態はダウンリンク伝送方法を提供する。当該方法は、無線フレームを決定する段階であって、無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さい、段階と、無線フレームに基づいてダウンリンク伝送を行う段階とを備える。上述の説明から、無線フレームは、比較的小さい帯域幅を有する第１のシンボルと、比較的大きい帯域幅を有する第２のシンボルとの両方を含むことが分かるであろう。したがって、本発明の本実施形態の解決手段においては、異なるタイプの情報のカバレッジエリアの差を低減するよう、当該異なるタイプの情報は、第１のシンボルおよび第２のシンボルを使用して伝送され得る。
【０００５】
その上、本発明の本実施形態の解決手段において、比較的小さい帯域幅を有する第１のシンボルは、カバレッジエリアを拡大する必要がある信号を伝送するために使用できる。例えば、第１のシンボルは、帯域幅オーバーヘッドを低減することによって共通情報の送信電力を大きくするよう、共通情報（例えば、共通チャネルおよび共通信号）を伝送するために使用されてよく、それによって共通情報のカバレッジエリアを拡大する。
【０００６】
可能な設計において、無線フレームは、通信リソースを節約するために事前設定によって決定されてよく、または、無線フレームは、無線フレームをより高い自由度で決定するよう情報のやり取りによって決定されてよい。
【０００７】
可能な設計において、無線フレームは、第１のサブフレームおよび第３のサブフレームのうちの少なくとも１つを有し、同期信号、物理ブロードキャストチャネルＰＢＣＨ上で搬送される情報、物理ダウンリンク制御チャネルＰＤＣＣＨ上で搬送される情報、セル固有参照信号ＣＲＳ、およびシステム情報のうちの少なくとも１つが、第１のサブフレームの第１のシンボルおよび第３のサブフレームの第１のシンボルのうちの少なくとも１つを使用することによって伝送される。例えば、ＣＲＳは、第１のサブフレームの第１のシンボルおよび第３のサブフレームの第１のシンボルのうちの少なくとも１つを使用することによって伝送される。この場合、第１の帯域幅に基づいて、ＣＲＳの参照信号シーケンスがさらに決定されてよい。
【０００８】
可能な設計において、無線フレームは、第２のサブフレームおよび第３のサブフレームのうちの少なくとも１つを有し、データ信号が、第２のサブフレームの第２のシンボルおよび第３のサブフレームの第２のシンボルのうちの少なくとも１つを使用することによって伝送されてよい。
【０００９】
可能な設計において、第１のシンボル、第１のサブフレーム、および第３のサブフレームのうちの少なくとも１つの、無線フレームにおける時間ドメイン位置についての情報が、ダウンリンク方向に伝送されてよい。例えば、第１のシンボル、第１のサブフレーム、および第３のサブフレームのうちの少なくとも１つの、無線フレームにおける時間ドメイン位置についての情報は、システムメッセージを使用することによって伝送されてよい。別の例では、第１のシンボル、第１のサブフレーム、および第３のサブフレームのうちの少なくとも１つの、無線フレームにおける時間ドメイン位置についての情報は、無線リソース制御ＲＲＣシグナリングを使用することによって伝送されてよい。別の例では、現在のキャリア内の第１のシンボル、第１のサブフレーム、および第３のサブフレームのうちの少なくとも１つの、無線フレームにおける時間ドメイン位置についての情報は、別のキャリアを使用することによって伝送されてよい。
【００１０】
可能な設計において、第２のシンボルおよび第２のサブフレームのうちの少なくとも１つの、無線フレームにおける時間ドメイン位置についての情報がまたダウンリンク方向に伝送されてよく、これにより、時間ドメイン位置についての情報を受信するネットワーク要素が、第１のシンボル、第１のサブフレーム、および第３のサブフレームのうちの少なくとも１つの、無線フレームにおける時間ドメイン位置についての情報を認識する。
【００１１】
したがって、本発明の本実施形態の解決手段において、第１のシンボル、第２のシンボル、第１のサブフレーム、第２のサブフレーム、および第３のサブフレームのうちの少なくとも１つの、無線フレームにおける時間ドメイン位置についての情報が、サブフレーム粒度および／またはシンボル粒度で伝送されてよい。
【００１２】
可能な設計において、無線フレームはさらに、第１のシンボルの中心周波数が第２のシンボルの中心周波数と同じであるという特徴、第１のサブフレームおよび第３のサブフレームのうちの少なくとも１つが、マルチメディアブロードキャストマルチキャストサービス単一周波数ネットワークＭＢＳＦＮサブフレームであるという特徴、および、第１の帯域幅は１．４ＭＨｚであり、第２の帯域幅は３ＭＨｚ、５ＭＨｚ、１０ＭＨｚ、１５ＭＨｚ、または２０ＭＨｚであるという特徴のうちの１つまたはそれらの任意の組み合わせを有してよい。当然ながら、第１の帯域幅が第２の帯域幅より小さいのであれば、第１の帯域幅および第２の帯域幅は、代替的に、任意の他の帯域幅であってよい。
【００１３】
可能な設計において、上述の態様において提供された方法は、基地局によって行われてよく、または、端末によって行われてもよい。異なる適用シナリオにおいて、上述の態様において提供された解決手段は、基地局と端末との間で実装されてよく、または、異なる端末間で実装されてよく、または、異なるタイプの基地局間で実装されてよい、例えば、マクロ基地局とミクロ基地局との間で実装されてよい。
【００１４】
別の態様においては、本発明の一実施形態は、無線通信装置、例えば基地局を提供する。基地局は、上述の方法設計における基地局の挙動を実装する機能を有する。当該機能は、ハードウェアを使用することによって実装されてよく、または、対応するソフトウェアを実行するハードウェアによって実装されてもよい。ハードウェアまたはソフトウェアは、上述の機能に対応する１または複数のモジュールを含む。モジュールは、ソフトウェアおよび／またはハードウェアであってよい。
【００１５】
可能な設計において、基地局の構造は、プロセッサおよび送信機を含む。プロセッサは、基地局が上述の方法における対応する機能を実行するのをサポートするよう構成される。送信機は、基地局と端末との間での通信をサポートし、上述の方法において言及された情報または命令を端末に送信するよう構成される。基地局はさらに、メモリを含んでよい。メモリは、プロセッサに結合されるよう構成され、基地局の必要なプログラム命令およびデータを記憶する。
【００１６】
さらに別の態様においては、本発明の一実施形態は、無線通信装置、例えば端末を提供する。端末は、上述の方法設計における端末の挙動を実装する機能を有する。当該機能は、ハードウェアを使用することによって実装されてよく、または、対応するソフトウェアを実行するハードウェアによって実装されてよい。ハードウェアまたはソフトウェアは、上述の機能に対応する１または複数のモジュールを含む。モジュールは、ソフトウェアおよび／またはハードウェアであってよい。
【００１７】
可能な設計において、端末の構造は、受信機およびプロセッサを含む。プロセッサは、基地局が上述の方法における対応する機能を実行するのをサポートするよう構成される。受信機は、上述の無線フレームを使用することによって上述の基地局によって送信された様々な情報または命令を端末が受信するのをサポートするよう構成される。端末はさらに、メモリを含んでよい。メモリは、プロセッサに結合されるよう構成され、端末の必要なプログラム命令およびデータを記憶する。
【００１８】
さらに別の態様において、本発明の一実施形態は通信システムを提供する。当該システムは、上述の態様に係る無線通信装置を含む。例えば、当該システムは、上述の態様に係る基地局および端末を含んでよい。
【００１９】
また別の態様において、本発明の一実施形態は、コンピュータ記憶媒体を提供する。当該コンピュータ記憶媒体は、上述の基地局によって使用されるコンピュータソフトウェア命令を記憶するよう構成される。当該コンピュータソフトウェア命令は、上述の態様を実行するために設計されたプログラムを含む。
【００２０】
また別の態様において、本発明の一実施形態は、コンピュータ記憶媒体を提供する。当該コンピュータ記憶媒体は、上述の端末によって使用されるコンピュータソフトウェア命令を記憶するよう構成される。当該コンピュータソフトウェア命令は、上述の態様を実行するために設計されたプログラムを含む。
【００２１】
先行技術と比較すると、本発明の実施形態において提供される解決手段では、無線フレームが決定され、当該無線フレームに基づいてダウンリンク伝送が行われる。ここで、当該無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルの第２のシンボルを含み、第１のシンボルの帯域幅は第１の帯域幅であり、第２のシンボルの帯域幅は第２の帯域幅であり、第１の帯域幅は第２の帯域幅より小さい。上述の説明から、本発明の実施形態における解決手段では、第２のシンボルと比べて比較的小さい帯域幅を有する第１のシンボルは、帯域幅オーバーヘッドを低減することによっていくつかの情報の送信電力を大きくするよう、当該情報を伝送するために使用されてよく、それによって情報のカバレッジエリアを拡大することが分かるであろう。したがって、本発明の実施形態における解決手段においては、異なるタイプの情報のカバレッジエリアの差を低減するよう、異なるタイプの情報は、異なる帯域幅を有する第１のシンボルおよび第２のシンボルを使用することによって伝送され得る。
【図面の簡単な説明】
【００２２】
本発明の実施形態における技術的解決手段をより明確に説明すべく、実施形態の説明に必要な添付図面を以下で簡潔に説明する。以下の説明における添付図面は、本発明のいくつかの実施形態を示しているに過ぎず、当業者であれば、創造的な努力なく、これらの添付図面から本発明の他の実施形態または実装例を導出できることは明らかである。これらのすべての実施形態または実装例は、本発明の保護範囲に含まれるものとする。
【００２３】
【図１】本発明の一実施形態に係る可能な適用シナリオの概略図である。
【００２４】
【図２Ａ】本発明の一実施形態に係る可能なシステムネットワークの概略図である。
【００２５】
【図２Ｂ】本発明の一実施形態に係る別の可能なシステムネットワークの概略図である。
【００２６】
【図３】本発明の一実施形態に係るダウンリンク伝送方法を使用した通信の概略図である。
【００２７】
【図４】本発明の一実施形態に係る別のダウンリンク伝送方法の概略フローチャートである。
【００２８】
【図５Ａ】本発明の一実施形態に係る第１のシンボルおよび第２のシンボルの概略図である。
【図５Ｂ】本発明の一実施形態に係る第１のシンボルおよび第２のシンボルの概略図である。
【００２９】
【図６Ａ】本発明の一実施形態に係る、可変帯域幅を有する無線フレームの概略図である。
【図６Ｂ】本発明の一実施形態に係る、可変帯域幅を有する無線フレームの概略図である。
【図６Ｃ】本発明の一実施形態に係る、可変帯域幅を有する無線フレームの概略図である。
【図６Ｄ】本発明の一実施形態に係る、可変帯域幅を有する無線フレームの概略図である。
【００３０】
【図７】本発明の一実施形態に係る、第１のサブフレーム、第２のサブフレーム、および第３のサブフレームの概略図である。
【００３１】
【図８Ａ】本発明の一実施形態に係る、ＣＲＳの参照信号シーケンスを決定するための方法の概略図である。
【図８Ｂ】本発明の一実施形態に係る、ＣＲＳの参照信号シーケンスを決定するための方法の概略図である。
【００３２】
【図９】本発明の一実施形態に係る無線通信装置の概略構造図である。
【００３３】
【図１０】本発明の一実施形態に係る端末の概略構造図である。
【発明を実施するための形態】
【００３４】
本発明の実施形態の目的、技術的解決手段、および利点をより明確にすべく、以下では、本発明の実施形態における添付図面に関連して本発明の実施形態の技術的解決手段を説明する。
【００３５】
本発明の以下の実施形態において説明されるネットワークアーキテクチャおよびサービスシナリオは、本発明の実施形態における技術的解決手段をより明確に説明することを目指しているのであって、本発明の実施形態において提供される技術的解決手段を限定することは意図していない。当業者であれば、ネットワークアーキテクチャが進化し、新しいサービスシナリオが出現するにつれて、本発明の実施形態において提供される技術的解決手段もまた、同様の技術的問題に適用可能であることを認識しているであろう。
【００３６】
図１に示すように、端末が、無線アクセスネットワーク（ＲＡＮ）およびコアネットワーク（ＣＮ）を使用することによって、事業者のインターネットプロトコル（ＩＰ）サービスネットワーク、例えば、ＩＰマルチメディアサブシステム（ＩＭＳ）ネットワークまたはパケット交換ストリーミングサービス（ＰＳＳ）ネットワークにアクセスする。本発明の実施形態において説明される技術的解決手段は、様々な無線アクセス技術を使用するＬＴＥシステムまたは別の無線通信システム、例えば、符号分割多重アクセス（ＣＤＭＡ）、周波数分割多重アクセス（ＦＤＭＡ）、時分割多重アクセス（ＴＤＭＡ）、直交周波数分割多重アクセス（ＯＦＤＭＡ）、またはシングルキャリア周波数分割多重アクセス（ＳＣ−ＦＤＭＡ）などのアクセス技術を使用するシステムに適用可能である。加えて、当該技術的解決手段はまた、ＬＴＥシステムの後続の進化したシステム、例えば、第５世代（５Ｇ）システムに適用可能である。 明確にするために、本明細書において説明のために例としてＬＴＥシステムのみを使用する。ＬＴＥシステムでは、無線アクセスネットワークとして発展型ユニバーサル地上無線アクセスネットワーク（Ｅ−ＵＴＲＡＮ）が使用され、コアネットワークとして発展型パケットコア（ＥＰＣ）が使用される。端末は、Ｅ−ＵＴＲＡＮおよびＥＰＣを使用することによって、ＩＭＳネットワークにアクセスする。
【００３７】
本発明の実施形態において、「ネットワーク」および「システム」という用語はしばしば交互に使用されるが、当業者であれば、当該用語の意味を理解できよう。本発明の実施形態の端末は、無線通信機能を有するハンドヘルドデバイス、車載デバイス、ウェアラブルデバイス、もしくはコンピューティングデバイス、または、無線モデムに接続された別の処理デバイスと、さまざまな形態のユーザ機器（ＵＥ）、および移動局（ＭＳ）等とを含んでよい。説明の便宜上、本発明の実施形態においては、上述のデバイスはまとめて端末と称される。本発明の実施形態の基地局は、無線アクセスネットワークに配備され、端末に無線通信機能を提供するよう構成された装置である。基地局は、さまざまな形態のマクロ基地局、ミクロ基地局、中継ノード、およびアクセスポイント等を含んでよい。あるいは、基地局は、移動通信用グローバルシステム（ＧＳＭ（登録商標））もしくはＣＤＭＡシステムの基地局コントローラ（ＢＳＣ）であってよく、または、広帯域符号分割多重アクセス（ＷＣＤＭＡ（登録商標））システムの無線ネットワークコントローラ（ＲＮＣ）であってよく、または、様々な通信システムの基地局（ＢＳ）もしくは集中型サーバ等であってよく、または、基地局とコントローラとの組み合わせであってよい。異なる無線アクセス技術を使用するシステムでは、基地局の機能を有するデバイスが、異なる名称を有してよい。例えば、ＬＴＥシステムにおいて、デバイスは、発展型ノードＢ（ｅＮＢ）と称される。第３世代（３Ｇ）システムでは、デバイスはノードＢと称される。説明の便宜上、本発明の実施形態では、端末に無線通信機能を提供する上述の装置は、基地局またはＢＳと称される。本発明の実施形態の基地局は、既存の通信システムの基地局と、将来出現するであろう通信システム（例えば、５Ｇ通信システム）の基地局の両方を含むことを理解されたい。このことは、本発明の実施形態において限定されない。
【００３８】
図２Ａは、本発明の一実施形態に係る可能なシステムの概略図である。当該システムは、主に基地局および端末を備える。基地局は、セルラネットワークを使用することによって端末と通信してよい。例えば、図２Ａに示すシステムは、時分割複信（ＴＤＤ）システムであってよく、または、周波数分割複信（ＦＤＤ）システムであってよい。別の例では、図２Ａに示すシステムは、シングルキャリアシステムであってよく、または、マルチキャリアシステムであってよい。別の例では、図２Ａに示すシステムは、高周波通信システム（例えば、６ＧＨｚより高い周波数帯域を有するシステム、高周波数についての具体的な定義については規格またはシステムの要件を参照されたい）であってよく、または、低周波通信システム（例えば、６ＧＨｚより低い周波数帯域を有するシステム、低周波数についての具体的な定義については規格またはシステムの要件を参照されたい）であってよい。
【００３９】
図２Ｂは、本発明の一実施形態に係る別の可能なシステムの概略図である。図２Ｂに示すシステムにおいて、図２Ａに示すシステムと同じまたは同様の内容については、図２Ａに関する詳細な説明を参照されたい。ここでは、詳細は再度説明しない。図２Ｂに示すシステムの適用シナリオは、デバイスツーデバイス（Ｄ２Ｄ）通信シナリオであってよく、または、マシンツーマシン（Ｍ２Ｍ）通信シナリオであってよい。Ｄ２Ｄ通信とは、システムの制御の下、セルのリソースを再利用することによって端末が互いに通信することを許容されることを意味する。Ｍ２Ｍ通信とは、マシンと別のマシンとの間での情報のやり取りを意味する。例えば、Ｍ２Ｍ通信は、図２Ｂにおける第１の端末と第２の端末との間での情報のやり取りであってよい。
【００４０】
図２Ａに示すシステムアーキテクチャが使用されるとき、本発明の実施形態において提供される解決手段のダウンリンク伝送は、基地局から端末への伝送を意味し、図２Ｂに示すシステムアーキテクチャが使用されるとき、本発明の実施形態において提供される解決手段のダウンリンク伝送は、端末から別の端末への伝送を意味することに留意すべきである。例えば、図２Ｂにおいて、ダウンリンク伝送は、第１の端末から第２の端末への伝送であってよく、または、第２の端末から第１の端末への伝送であってよい。
【００４１】
本発明の実施形態の解決手段は、図２Ａまたは図２Ｂに示すシステムアーキテクチャに加えて、別のシステムアーキテクチャに適用されてよいことが理解されよう。例えば、当該解決手段は、マクロ基地局ミクロ基地局を含むシステムアーキテクチャに適用されてよい。この適用シナリオでは、本発明の実施形態において提供される解決手段のダウンリンク伝送は、マクロ基地局からミクロ基地局への伝送であってよく、または、ミクロ基地局からマクロ基地局への伝送であってよい。
【００４２】
本発明の実施形態がさらに、本発明の実施形態に係る上述の共通の態様に基づいて詳細に説明される。
【００４３】
本発明の一実施形態は、ダウンリンク伝送方法と、当該方法に基づく基地局、端末およびシステムとを提供する。当該方法は、無線フレームを決定する段階であって、無線フレームは、第１のサブフレーム、第２のサブフレーム、および第３のサブフレームのうちの少なくとも２つを有し、第１のサブフレームは第１のシンボルを含み、第２のサブフレームは第２のシンボルを有し、第３のサブフレームは第１のシンボルおよび第２のシンボルを有し、第１のシンボルの帯域幅は第１の帯域幅であり、第２のシンボルの帯域幅は第２の帯域幅であり、第１の帯域幅は第２の帯域幅より小さい、段階と、無線フレームに基づいてダウンリンク伝送を行う段階とを備えてよい。上述の説明から、本発明の本実施形態における解決手段では、第２のシンボルと比べて比較的小さい帯域幅を有する第１のシンボルは、帯域幅オーバーヘッドを低減することによっていくつかの情報の送信電力を大きくするよう、当該情報を伝送するために使用されてよく、それによって情報のカバレッジエリアを拡大することが分かるであろう。したがって、本発明の本実施形態における解決手段においては、異なるタイプの情報のカバレッジエリアの差を低減するよう、当該異なるタイプの情報は、異なる帯域幅を有する第１のシンボルおよび第２のシンボルを使用することによって伝送され得る。
【００４４】
無線フレームの説明から、無線フレームは第１のシンボルおよび第２のシンボルの両方を有するが、第１のシンボルの帯域幅は、第２のシンボルの帯域幅と異なることが分かるであろう。したがって、従来の無線フレームの帯域幅と比べて、無線フレームの帯域幅は可変である。説明の便宜上、以下の説明では、無線フレームは代替的に、可変帯域幅を有する無線フレームと称されてよく、従来の無線フレームは代替的に、固定帯域幅を有する無線フレームと称されてよい。先行技術では、基地局は、固定帯域幅を有する無線フレームに基づいて端末とダウンリンク伝送を行う。データ情報および共通情報のカバレッジが不十分であるとき、データ情報は、カバレッジエリアが改善するよう指向性ビームを使用することによって伝送されてよく、共通情報のカバレッジ問題が明白になる。この場合、本発明の本実施形態において提供される解決手段が使用されてよい。当該ダウンリンク伝送は、可変帯域幅を有する無線フレームに基づいて行われ、比較的小さい帯域幅を有する第１のシンボルを、共通情報を伝送するために使用して、帯域幅オーバーヘッドを低減することによって送信電力を大きくし、それによってカバレッジエリアを拡大する。共通情報は、１または複数の不特定の対象に送信される情報である。例えば、図２Ａに示すシステムアーキテクチャでは、当該情報は、基地局によって１または複数の不特定の端末に送信される情報であってよい。共通情報は、共通チャネルおよび／または共通信号を有してよい。共通チャネルは、物理ブロードキャストチャネル（ＰＢＣＨ）、物理ダウンリンク制御チャネル（ＰＤＣＣＨ）、同期チャネル（ＳＣＨ）、ブロードキャストチャネル（ＢＣＨ）、ページングチャネル（ＰＣＨ）、フォワードアクセスチャネル（ＦＡＣＨ）、および共通パイロットチャネル（ＣＰＩＣＨ）等のうちの１つまたはそれらの任意の組み合わせを有してよい。共通信号は、同期信号、セル固有参照信号（ＣＲＳ）およびシステム情報等のうちの１つまたはそれらの任意の組み合わせを有してよい。同期信号は、プライマリ同期信号（ＰＳＳ）およびセカンダリ同期信号（ＳＳＳ）を含んでよい。上述の様々なタイプの共通チャネルおよび／または共通信号は、１または複数の不特定の対象に送信されるチャネルおよび／または信号であることが理解されよう。システムアーキテクチャの発展および規格の発展に伴って、チャネルおよび／または信号の名称は変化する場合があるが、その変化は、本発明の実施形態の範囲を越えるものではない。
【００４５】
本発明の本実施形態の解決手段が図２Ａに示すシステムまたは同様のシステムに適用されるとき、基地局は、可変帯域幅を有する無線フレームにのみ基づいてすべての端末とダウンリンク伝送を行ってよく、または、基地局は、可変帯域幅を有する無線フレームに基づいていくつかの端末とダウンリンク伝送を行い、固定帯域幅を有する無線フレームに基づいてその他の端末とダウンリンク伝送を行ってよいことに留意すべきである。したがって、本発明の本実施形態の解決手段は、従来の伝送モードとの互換性がより良好である。
【００４６】
本発明の実施形態において提供される解決手段は、さらなる添付図面に関連して、かつ、図２Ａに示すシステムアーキテクチャが使用される例を使用することによって以下で説明される。
【００４７】
図３は、本発明の一実施形態に係るダウンリンク伝送方法を使用する通信の概略図である。
【００４８】
３０１部分において、基地局および端末が無線フレームを決定し、無線フレームは、可変帯域幅を有する無線フレームである。可変帯域幅を有する無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さい。
【００４９】
一例において、基地局および端末は、事前設定によって、可変帯域幅を有する無線フレームを決定してよい。例えば、事前設定は、ブロードキャストメッセージを使用することによって行われてよい。可変帯域幅を有する無線フレームを決定した後、基地局はブロードキャストメッセージを配信する。ここで、ブロードキャストメッセージは、無線フレームに含まれるサブフレームおよびシンボルについての情報を保持する。例えば、当該情報は、ブロードキャストメッセージにおけるシステム情報を使用することによって保持されてよい。ブロードキャストメッセージの受信後、端末は、ブロードキャストメッセージにおいて保持された情報に基づいて、可変帯域幅を有する無線フレームを決定してよい。
【００５０】
３０２部分において、可変帯域幅を有する無線フレームに基づいて、基地局と端末との間でダウンリンク伝送が行われる。
【００５１】
一例において、可変帯域幅を有する無線フレームが、第１のサブフレームおよび第３のサブフレームのうちの少なくとも１つを含むとき、同期信号、ＰＢＣＨ上で搬送される情報、ＰＤＣＣＨ上で搬送される情報、ＣＲＳ、およびシステム情報のうちの少なくとも１つが、第１のサブフレームの第１のシンボルおよび第３のサブフレームの第１のシンボルのうちの少なくとも１つを使用することによって伝送される。その上、ＣＲＳが第１のサブフレームの第１のシンボルおよび第３のサブフレームの第１のシンボルのうちの少なくとも１つを使用することによって伝送されるとき、ＣＲＳの参照信号シーケンスがさらに、第１の帯域幅に基づいて決定されてよい。例えば、参照信号シーケンスは、図８Ａおよび図８Ｂに示す方法を使用することによって決定されてよい。詳細については、以下の詳細な説明を参照されたい。
【００５２】
別の例において、無線フレームが第２のサブフレームおよび第３のサブフレームのうちの少なくとも１つを有するとき、データ信号が、第２のサブフレームの第２のシンボルおよび第３のサブフレームの第２のシンボルのうちの少なくとも１つを使用することによって伝送される。
【００５３】
図３に示す方法は、図２Ｂに示すシステムアーキテクチャまたは同様のアーキテクチャに適用されてもよいことが理解されよう。図２Ｂに示すシステムアーキテクチャが使用されるとき、本発明の本実施形態の解決手段は、任意の２つの端末によって実装されてよい。
【００５４】
図４は、本発明の一実施形態に係る別のダウンリンク伝送方法の概略フローチャートである。図４に示す方法において、図３に示す方法と同じまたは同様の内容については図３の関連する詳細な説明を参照されたく、ここでは、詳細は再度説明しないことに留意すべきである。
【００５５】
４０１部分において、基地局はブロードキャストメッセージを配信し、ブロードキャストメッセージは無線フレームのタイプ指標を保持する。タイプ指標は、使用される無線フレームが、可変帯域幅を有する無線フレームか否かを示すために使用される。ブロードキャストメッセージの配信前に、基地局はまず、可変帯域幅を有する無線フレームを決定することが理解されよう。可変帯域幅を有する無線フレームは、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さい。
【００５６】
一例において、無線フレームのタイプ指標は、ビットを使用することによって、または別の方式で表されてよい。例えば、ビット０は、使用される無線フレームが、固定帯域幅を有する無線フレームであることを示し、ビット１は、使用される無線フレームが、可変帯域幅を有する無線フレームであることを示す。当然ながら、それに代えて、ビット０が、可変帯域幅を有する無線フレームを示し、ビット１が、固定帯域幅を有する無線フレームを示してもよい。
【００５７】
４０２部分において、ブロードキャストメッセージの受信後、端末は、ブロードキャストメッセージに保持された、無線フレームのタイプ指標に基づいて、使用される無線フレームが、可変帯域幅を有する無線フレームか否かを決定する。使用される無線フレームが、可変帯域幅を有する無線フレームである場合、４０３部分を実行し、使用される無線フレームが、可変帯域幅を有する無線フレームではない場合、４０７部分を実行する。
【００５８】
４０３部分において、端末は、可変帯域幅を有する無線フレームがサポートされているか否かを決定する。可変帯域幅を有する無線フレームがサポートされている場合、４０４部分を実行し、可変帯域幅を有する無線フレームがサポートされていない場合、４０７部分を実行する。
【００５９】
４０４部分において、端末は、ブロードキャストメッセージ内の、可変帯域幅を有する無線フレームについての情報を読み出す。端末は、可変帯域幅を有する無線フレームについての情報を読み出すことによって、可変帯域幅を有する無線フレームを決定する。具体的には、可変帯域幅を有する無線フレームが、第１のサブフレーム、第２のサブフレーム、および第３のサブフレームのうちの少なくとも２つを有し、第１のサブフレームは第１のシンボルを含み、第２のサブフレームは第２のシンボルを含み、第３のサブフレームは第１のシンボルおよび第２のシンボルを含み、第１のシンボルの帯域幅は第１の帯域幅であり、第２のシンボルの帯域幅は第２の帯域幅であり、第１の帯域幅は第２の帯域幅より小さいと、端末は決定する。
【００６０】
４０５部分において、第１のシンボル、第１のサブフレーム、および第３のサブフレームのうちの少なくとも１つの、可変帯域幅を有する無線フレームにおける時間ドメイン位置についての情報が、ダウンリンク方向に伝送される。次に、端末は、シンボル粒度および／またはサブフレーム粒度で時間ドメイン位置を認識してよい。例えば、シンボル粒度では、端末は、第１のシンボルの、可変帯域幅を有する無線フレームにおける時間ドメイン位置を認識してよい。別の例において、サブフレーム粒度では、可変帯域幅を有する無線フレームが第１のサブフレームおよび第３のサブフレームのうちの少なくとも１つを有するとき、端末は、第１のサブフレームおよび第３のサブフレームのうちの少なくとも１つの、可変帯域幅を有する無線フレームにおける時間ドメイン位置を認識してよい。
【００６１】
一例において、第２のシンボルの、可変帯域幅を有する無線フレームにおける時間ドメイン位置についての情報もまた、ダウンリンク方向に伝送されてよく、これにより、端末は、第１のシンボルの、可変帯域幅を有する無線フレームにおける時間ドメイン位置を認識する。例えば、４０１部分で基地局によって配信されたブロードキャストメッセージは、第２のシンボルの、可変帯域幅を有する無線フレームにおける時間ドメイン位置についての情報を保持する。あるいは、端末は、第１のシンボルおよび第２のシンボルの、可変帯域幅を有する無線フレームにおける時間ドメイン位置を同時に認識してよい。
【００６２】
別の例において、可変帯域幅を有する無線フレームが第３のサブフレームを有するとき、端末はさらに、第３のサブフレームにおける第１のシンボルおよび第２のシンボルの時間ドメイン位置を認識してよい。例えば、端末は、４０４部分において読み出された、可変帯域幅を有する無線フレームについての情報に基づいて、第３のサブフレームにおける第１のシンボルの分布を認識してよく、次に、第３のサブフレームにおける第２のシンボルの分布を認識してよい。または、端末は、上記の読み出された情報に基づいて、第３のサブフレームにおける第２のシンボルの分布を認識してよく、次に、第３のサブフレームにおける第１のシンボルの分布を認識してよい。または、端末は、上記の読み出された情報に基づいて、第３のサブフレームにおける第１のシンボルおよび第２のシンボルの分布を同時に認識してよい。
【００６３】
さらに別の例では、基地局は代替的に、時間ドメイン位置のシステム情報をブロードキャストメッセージに追加してよく、これにより、端末は、システム情報に基づいて、第１のシンボル、第１のサブフレーム、および第３のサブフレームのうちの少なくとも１つの、可変帯域幅を有する無線フレームにおける時間ドメイン位置を認識してよい。
【００６４】
さらに別の例では、基地局は代替的に、システムメッセージまたは無線リソース制御（ＲＲＣ）シグナリングを使用することによって、第１のシンボル、第１のサブフレーム、および第３のサブフレームのうちの少なくとも１つの、可変帯域幅を有する無線フレームにおける時間ドメイン位置についての情報を端末に送信してよく、代替的に、現在のキャリアについて、基地局は、別のキャリアを使用することによって、現在のキャリア内の第１のシンボル、第１のサブフレーム、および第３のサブフレームのうちの少なくとも１つの、可変帯域幅を有する無線フレームにおける時間ドメイン位置についての情報を端末に送信してよい。例えば、ＲＲＣシグナリングを使用することによって情報を送信するとき、基地局は、ＲＲＣ共通シグナリングを使用することによって複数の端末に通知してよく、または、基地局は、ＲＲＣ専用シグナリングを使用することによって１つの端末に通知してもよい。これに対応して、端末は、ＲＲＣ共通シグナリングまたはＲＲＣ専用シグナリングに基づいて時間ドメイン位置についての情報を認識してよい。
【００６５】
４０６部分において、基地局および端末は、可変帯域幅を有する無線フレームに基づいてダウンリンク伝送を行う。
【００６６】
一例において、同期信号、ＰＢＣＨ上で搬送される情報、ＰＤＣＣＨ上で搬送される情報、ＣＲＳ、およびシステム情報のうちの少なくとも１つが、第１のサブフレームの第１のシンボルおよび第３のサブフレームの第１のシンボルのうちの少なくとも１つを使用することによって伝送される。具体的には、信号または情報は、帯域幅オーバーヘッドを低減することによって信号または情報の送信電力を大きくするよう、比較的小さい帯域幅を有する第１のシンボルを使用することによって伝送されてよく、それによって信号または情報のカバレッジエリアが拡大される。第２のサブフレームの第２のシンボルおよび第３のサブフレームの第２のシンボルのうちの少なくとも１つを使用することによって、データ信号がさらに伝送されてよい。具体的には、データ信号は、比較的大きい帯域幅を有する第２のシンボルを使用することによって伝送されてよい。
【００６７】
４０７部分において、基地局および端末は、固定帯域幅を有する無線フレームに基づいてダウンリンク伝送を行う。
【００６８】
本発明の本実施形態において提供される方法における可変帯域幅を有する無線フレームは、以下の特徴のうちの１つまたはそれらの任意の組み合わせを有してよいことに留意すべきである。
【００６９】
中心周波数：第１のシンボルの中心周波数は、第２のシンボルの中心周波数と同じであってよい。例えば図５Ａに示すように、第１のシンボルの中心周波数および第２のシンボルの中心周波数は共に周波数ｆ０である。あるいは、第１のシンボルの中心周波数は、第２のシンボルの中心周波数と異なっていてよい。具体的には、第１のシンボルの中心周波数と第２の周波数の中心周波数との間には周波数のずれがある。例えば、図５Ｂに示すように、第１のシンボルの中心周波数は、周波数ｆ１であり、第２のシンボルの中心周波数は、ｆ２である。ここで、ｆ１は、ｆ２より大きくてよく、またはｆ２より小さくてもよい。
【００７０】
帯域幅：第１のシンボルの第１の帯域幅および第２のシンボルの第２の帯域幅の両方は、第１の帯域幅が第２の帯域幅より小さいのであれば、任意の帯域幅であってよい。例えば、ＬＴＥシステムにおいて、第１の帯域幅が１．４ＭＨｚであるとき、第２の帯域幅は、３ＭＨｚ、５ＭＨｚ、１０ＭＨｚ、１５ＭＨｚ、または２０ＭＨｚであってよく、第１の帯域幅が３ＭＨｚであるとき、第２の帯域幅は、５ＭＨｚ、１０ＭＨｚ、１５ＭＨｚ、または２０ＭＨｚであってよい。あるいは、第１の帯域幅または第２の帯域幅は、任意の他の既存の通信システムの帯域幅であってよく、または、将来出現し得る通信システムの帯域幅、例えば５Ｇシステムで可能な帯域幅であってよい。
【００７１】
サブフレームタイプ：一例において、第１のサブフレームは、マルチメディアブロードキャストマルチキャストサービス単一周波数ネットワーク（ＭＢＳＦＮ）サブフレームであってよく、または、第３のサブフレームも同様にＭＢＳＦＮサブフレームであってよい。任意選択で、ＭＢＳＦＮサブフレームのＭＢＳＦＮ領域は、第１のシンボルを含む。ＭＢＳＦＮサブフレームは、ＭＢＳＦＮ参照信号を伝送するために使用されてよい。ＭＢＳＦＮ参照信号に関する内容については、プロトコル３６．２１１における関連する説明を参照されたい。
【００７２】
巡回プレフィックス（ＣＰ）：含まれるシンボルは、ノーマル巡回プレフィックス（ｎｏｒｍａｌ  ＣＰ）または拡張巡回プレフィックス（ｅｘｔｅｎｄｅｄ  ＣＰ）を含んでよい。
【００７３】
本発明の実施形態において提供される、可変帯域幅を有する無線フレームは、さらなる添付図面を参照して以下でさらに説明される。
【００７４】
以下の説明において、適用シナリオがＴＤＤシステムであり、巡回プレフィックスがノーマル巡回プレフィックスであり、第１のシンボルの中心周波数が第２のシンボルの中心周波数と同じである例が説明に使用される。
【００７５】
図６Ａから図６Ｄは、本発明の一実施形態に係る、可変帯域幅を有する無線フレームの概略図である。本発明の本実施形態において、可変帯域幅を有する無線フレームは、第１のサブフレーム、第２のサブフレームおよび第３のサブフレームのうちの少なくとも２つを有してよい。例えば、図６Ａに示すように、可変帯域幅を有する無線フレームは、第１のサブフレームおよび第２のサブフレームを有してよい。別の例では、図６Ｂに示すように、可変帯域幅を有する無線フレームは、第１のサブフレームおよび第３のサブフレームを有してよい。別の例では、図６Ｃに示すように、可変帯域幅を有する無線フレームは、第２のサブフレームおよび第３のサブフレームを有してよい。別の例では、図６Ｄに示すように、可変帯域幅を有する無線フレームは、第１のサブフレーム、第２のサブフレーム、および第３のサブフレームを有してよい。図６Ａから図６Ｄにおいて別々に示された、可変帯域幅を有する無線フレームに含まれる３タイプのサブフレームの数および配列方式は一例に過ぎず、これは本発明の本実施形態を限定するものではないことが理解されよう。
【００７６】
可変帯域幅を有する無線フレームに基づいてダウンリンク伝送が行われるとき、フィルタを使用することによって、基地局が無線フレームの帯域幅の変更を制御してよい。例えば、基地局は、時変フィルタを使用することによって、第１のシンボルを伝送するときは第１の帯域幅を使用し、第２のシンボルを伝送するときは第２の帯域幅を使用してよい。別の例では、基地局は、それぞれ異なるフィルタを使用することによって伝送を行ってよい。ここで、一方のフィルタは第１の帯域幅に対応し、他方のフィルタは第２の帯域幅に対応する。前者のフィルタは、第１のシンボルが伝送されるときに使用され、後者のフィルタは、第２のシンボルが伝送されるときに使用される。
【００７７】
図６Ａから図６Ｄに示された３タイプのサブフレームは一例に過ぎず、サブフレームの帯域幅等を限定するものではないことに留意すべきである。３タイプのサブフレームは、図７に関連して以下で説明される。
【００７８】
図７において、第１のシンボルおよび第２のシンボルが同じ中心周波数ｆ０を有する例が、説明に使用される。図７に示すように、第１のサブフレームは１４個の第１のシンボルを含み、第２のサブフレームは１４個の第２のシンボルを含み、第３のサブフレームは、７個の第１のシンボルおよび７個の第２のシンボルを含む。ここで、７個の第１のシンボルは、７個の第２のシンボルの前に配列される。当然ながら、３タイプのサブフレームに含まれるシンボル数は、代替的に他の個数であってよい。このことは、本発明の本実施形態において限定されない。図７に示す第３のサブフレームにおいて、含まれる第１のシンボルおよび第２のシンボルの数および配列順序は一例に過ぎず、これは本発明の本実施形態を限定するものではないことに留意すべきである。３タイプのサブフレームは、第１のシンボルおよび／または第２のシンボルに加えて、別のタイプのシンボルを含んでよいことが理解されよう。
【００７９】
本発明の実施形態において提供される解決手段において、可変帯域幅を有する無線フレームが、第１のサブフレームおよび第３のサブフレームのうちの少なくとも１つを有するとき、共通チャネル上で搬送される共通信号および／または情報は、帯域幅オーバーヘッドを低減することによって共通チャネル上で搬送される共通信号および／または情報の送信電力を大きくするよう、第１のサブフレームの第１のシンボルおよび第３のサブフレームの第１のシンボルのうちの少なくとも１つを使用することによって伝送されてよく、それによってカバレッジエリアを拡大する。例えば、同期信号、ＰＢＣＨ上で搬送される情報、ＰＤＣＣＨ上で搬送される情報、ＣＲＳ、およびシステム情報のうちの少なくとも１つが、第１のサブフレームの第１のシンボルおよび第３のサブフレームの第１のシンボルのうちの少なくとも１つを使用することによって伝送されてよい。
【００８０】
一例において、ＣＲＳが第１のサブフレームの第１のシンボルおよび第３のサブフレームの第１のシンボルのうちの少なくとも１つを使用することによって伝送されるとき、ＣＲＳの参照信号シーケンスは、以下の方式で決定されてよい。
【００８１】
まず基本シーケンスが生成される。
【００８２】
一例において、基本シーケンスは、ランダムシーケンスを使用することによって、例えば、以下の式を使用することによって生成されてよい。
【数１】
2019510427.tif 000032
式中、ｎｓは、無線サブフレームのタイムスロットを表し、
【数２】
2019510427.tif 000033
は、（例えばタイムスロットに対応するシンボルを使用することによって知り得る）時間ドメインにおける参照信号の位置を表し、
【数３】
2019510427.tif 000034
は、最大のダウンリンク帯域幅を表し、ｃ（ｉ）は、疑似ランダムシーケンス（具体的な情報については、３ＧＰＰプロトコル３６．２１１の７．２章の内容を参照されたい）を表す。
【００８３】
次に、リソース要素がマッピングされる。
【００８４】
基本シーケンスｒｌ，ｎｓ（ｍ）は、複素変調シンボル
【数４】
2019510427.tif 000035
にマッピングされる。ここで、
【数５】
2019510427.tif 000036
は、タイムスロットｎｓにおけるアンテナポートｐの参照シンボルとして使用され、具体的には、
【数６】
2019510427.tif 000037
であり、式中、
【数７】
2019510427.tif 000038
である。
【００８５】
変数ｖおよびｖｓｈｉｆｔは、異なる参照信号の周波数ドメイン位置を定義し、
【数８】
2019510427.tif 000039
であり、
【数９】
2019510427.tif 000040
である。式中、ｋは、周波数ドメインにおける参照信号の位置であり、
【数１０】
2019510427.tif 000041
は、時間ドメインにおける参照信号の位置であり、ｐは、アンテナポートであり、
【数１１】
2019510427.tif 000042
は、ダウンリンクタイムスロットに含まれるシンボル数（例えば、ＬＴＥシステムにおいては、ノーマルＣＰでは７であり、または、拡張ＣＰでは６である）であり、
【数１２】
2019510427.tif 000043
は、ダウンリンク帯域幅設定でのダウンリンクＲＢ数であると理解されよう。例えば、２０Ｍは１００個のＲＢに対応し、１．４Ｍは、６個のＲＢに対応する。例えば、第１の帯域幅に対応するダウンリンクＲＢ数は、ダウンリンク帯域幅を設定するために使用されてよく、これにより、ＣＲＳの参照信号シーケンスは、第１の帯域幅に基づいて決定されてよい。
【００８６】
図８Ａおよび図８Ｂに関連して、以下で、
【数１３】
2019510427.tif 000044
が第１の帯域幅であり、第１の帯域幅が１．４Ｍである例が説明に使用される。図８Ａに示すように、基本シーケンスがリソース要素にマッピングされた後、第１の帯域幅は６個のＲＢに対応する。図８Ｂに示すように、１個のＲＢは、時間ドメイン（横方向）の１４個のシンボルに対応し、周波数ドメイン（縦方向）の１２個のサブキャリアに対応する。１個のＲＢ上のＣＲＳの参照信号の分布が図８Ｂに示されている。第１の帯域幅が６個のＲＢに対応するとき、時間ドメインの一シンボルにおいて保持されるＣＲＳの参照信号シーケンスは、当該シンボルに対応する６×１２個のサブキャリア上に分布しているＣＲＳの参照信号を含む。
【００８７】
上記において、本発明の実施形態において提供される解決手段は、主に基地局と端末との間のインタラクションの観点から説明されている。上述の機能を実装すべく、基地局および端末は、機能を実行するための対応するハードウェア構造および／またはソフトウェアモジュールを備えることが理解されよう。本発明の実施形態において説明される例のユニットおよびアルゴリズムのステップに関連して、本発明の実施形態は、ハードウェア、またはハードウェアとコンピュータソフトウェアとの組み合わせを使用することによって実装され得る。機能がハードウェアによって実行されるのか、ハードウェアを駆動するコンピュータソフトウェアによって実行されるのかは、技術的解決手段の特定の用途および設計制約条件で決まる。当業者は、特定の用途ごとに異なる方法を使用して、説明された機能を実装してよいが、それらの実装例は、本発明の実施形態の技術的解決手段の範囲を越えるものとみなされるべきではない。
【００８８】
図９は、本発明の一実施形態に係る可能な無線通信装置の概略構造図である。図９に示す無線通信装置９００は、上述の実施形態において言及した基地局、第１の端末、または第２の端末であってよい。
【００８９】
装置９００は、送信機／受信機９０１とプロセッサ９０２とを備える。プロセッサ９０２は代替的にコントローラであってよく、図９では「コントローラ／プロセッサ９０２」と表される。以下では、装置９００が基地局である例が説明に使用される。送信機／受信機９０１は、基地局が上述の実施形態の端末と情報を送受信するのをサポートし、端末が別の端末と無線通信を行うのをサポートするよう構成される。プロセッサ９０２は、端末との通信を行うための様々な機能を実行する。アップリンクでは、端末からのアップリンク信号は、アンテナを使用することによって受信され、受信機９０１によって復調され（例えば、高周波信号がベースバンド信号へと復調される）、さらに、プロセッサ９０２によって処理されて、端末によって送信されたサービスデータおよびシグナリング情報が復元される。ダウンリンクでは、サービスデータおよびシグナリング情報は、プロセッサ９０２によって処理され、送信機９０１によって変調されて（例えば、ベースバンド信号が高周波信号へと変調される）、ダウンリンク信号が生成される。ダウンリンク信号は、アンテナを使用することによって端末に送信される。復調機能または変調機能はまた、プロセッサ９０２によって実装されてよいことに留意すべきである。プロセッサ９０２はさらに、図３から図８Ｂにおける基地局に関する処理プロセス、および／または、本出願において説明された技術的解決手段に使用される別のプロセスを実行する。一例において、プロセッサ９０２は、基地局が図３における部分３０１および３０２と、図４における手順４０１、４０５、４０６、および４０７とを実行するのをサポートするよう構成される。
【００９０】
その上、装置９００はさらにメモリ９０３を備えてよい。メモリ９０３は、装置９００のプログラムコードおよびデータを記憶するよう構成される。
【００９１】
装置９００が基地局であるとき、基地局はさらに通信ユニット９０４を備えてよい。通信ユニット９０４は、基地局が別のネットワークエンティティ（例えば、コアネットワークのネットワークデバイス）と通信を行うのをサポートするよう構成される。例えば、ＬＴＥシステムにおいて、通信ユニット９０４はＳ１−Ｕインタフェースであってよく、基地局がサービングゲートウェイ（ＳＧＷ）と通信を行うのをサポートするよう構成されており、または、通信ユニット９０４はＳ１−ＭＭＥインタフェースであってよく、基地局がモビリティ管理エンティティ（ＭＭＥ）と通信を行うのをサポートするよう構成されている。
【００９２】
図９では、装置９００の簡略化された設計のみが示されていることが理解されよう。実際の適用時には、装置９００は、任意の数の送信機、受信機、プロセッサ、コントローラ、メモリ、および通信ユニット等を備えてよい。本発明の実施形態を実装できるすべての基地局が、本発明の実施形態の保護範囲に含まれる。
【００９３】
図１０は、上述の実施形態の端末の可能な設計構造の簡略化された概略図である。端末１０００は、送信機１００１と受信機１００２とプロセッサ１００３とを備える。プロセッサ１００３は代替的にコントローラであってよく、図１０では「コントローラ／プロセッサ１００３」と表される。任意選択で、端末１０００はさらに、モデムプロセッサ１００５を備えてよい。モデムプロセッサ１００５は、エンコーダ１００６、変調器１００７、デコーダ１００８、および復調器１００９を有してよい。
【００９４】
送信機１００１は、出力サンプリングを（アナログ変換、フィルタリング、増幅、およびアップコンバージョンなどによって）調整し、アップリンク信号を生成する。アップリンク信号は、アンテナを使用することによって、上述の実施形態の基地局に送信される。ダウンリンクでは、アンテナは、上述の実施形態の基地局によって送信されたダウンリンク信号を受信する。受信機１００２は、アンテナから受信された信号を（フィルタリング、増幅、ダウンコンバージョン、およびデジタル化などによって）調整し、入力サンプリングを提供する。モデムプロセッサ１００５において、エンコーダ１００６は、アップリンクにおいて送信されるべきサービスデータおよびシグナリング情報を受け取り、サービスデータおよびシグナリング情報を（フォーマット化、符号化、およびインターリーブなどによって）処理する。変調器１００７はさらに、符号化されたサービスデータおよび符号化されたシグナリング情報を（シンボルのマッピングおよび変調などによって）処理し、出力サンプリングを提供する。復調器１００９は、入力サンプリングを（復調などによって）処理し、シンボル推定を提供する。デコーダ１００８は、シンボル推定を（デインターリーブおよび復号などによって）処理し、端末１０００に送られる復号されたデータおよび復号されたシグナリング情報を提供する。エンコーダ１００６、変調器１００７、復調器１００９、およびデコーダ１００８は、一体化したモデムプロセッサ１００５によって実装されてよい。これらのユニットは、無線アクセスネットワークによって使用される（ＬＴＥのアクセス技術または別の進化したシステムなどの）無線アクセス技術に基づいて処理を実行する。端末１０００がモデムプロセッサ１００５を備えないとき、モデムプロセッサ１００５の上述の機能は、代替的に、プロセッサ１００３によって実装されてよいことに留意すべきである。
【００９５】
プロセッサ１００３は、端末１０００の動作を制御および管理し、上述の実施形態の端末１０００によって実行される処理を実行するよう構成される。例えば、プロセッサ１００３は、可変帯域幅を有する無線フレームまたは固定帯域幅を有する無線フレームに基づいてダウンリンク伝送を行うように端末１０００を制御するよう構成される。一例において、プロセッサ１００３は、端末１０００が図３の手順３０１および３０２と、図４の手順４０２、４０３、４０４、４０５、４０６、および４０７とを実行するのをサポートするよう構成される。
【００９６】
その上、端末１０００はさらにメモリ１００４を備えてよい。メモリ１００４は、端末１０００のプログラムコードおよびデータを記憶するよう構成される。
【００９７】
本発明の実施形態の上述の基地局または端末の機能を実行するよう構成されるプロセッサは、中央演算処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、トランジスタロジックデバイス、ハードウェアコンポーネント、またはそれらの任意の組み合わせであってよい。プロセッサは、本発明の実施形態において開示された内容に関連して説明された論理ブロック、モジュール、および回路の様々な例を実装または実行してよい。プロセッサは、代替的に、計算機能を実装する組み合わせ、例えば、１または複数のマイクロプロセッサを含む組み合わせ、または、ＤＳＰとマイクロプロセッサとの組み合わせであってよい。
【００９８】
本発明の実施形態において開示された内容に関連して説明された方法またはアルゴリズムのステップは、ハードウェア方式で実装されてよく、または、プロセッサがソフトウェア命令を実行する方式で実装されてもよい。ソフトウェア命令は、対応するソフトウェアモジュールを有してよい。ソフトウェアモジュールは、ランダムアクセスメモリ（ＲＡＭ）、フラッシュメモリ、リードオンリメモリ（ＲＯＭ）、消去可能プログラマブルリードオンリメモリ（ＥＰＲＯＭ）、電気的消去可能プログラマブルリードオンリメモリ（ＥＥＰＲＯＭ）、レジスタ、ハードディスク、リムーバブルハードディスク、コンパクトディスク、リードオンリメモリ（ＣＤ−ＲＯＭ）、または当該技術分野において周知の任意の他の形態の記憶媒体に記憶されてよい。一例として使用される記憶媒体は、プロセッサに結合され、これにより、プロセッサは、記憶媒体から情報を読み出すことができ、記憶媒体に情報を書き込むことができる。当然ながら、記憶媒体は代替的にプロセッサの一部であってよい。プロセッサおよび記憶媒体は、ＡＳＩＣに位置付けられてよい。加えて、ＡＳＩＣは、基地局または端末に位置付けられてよい。当然ながら、プロセッサおよび記憶媒体はまた、個別のコンポーネントとして基地局または端末に存在してよい。
【００９９】
上述の例の１または複数のものにおいて、本発明の実施形態において説明された機能が、ハードウェア、ソフトウェア、ファームウェア、またはそれらの任意の組み合わせを使用することによって実装されてよいことを当業者は認識されたい。本出願がソフトウェアによって実装されるとき、これらの機能は、コンピュータ可読媒体に記憶されてよく、または、コンピュータ可読媒体における１または複数の命令またはコードとして伝送されてもよい。コンピュータ可読媒体は、コンピュータ記憶媒体および通信媒体を含む。ここで、通信媒体は、コンピュータプログラムをある場所から別の場所へと伝送可能な任意の媒体を含む。記憶媒体は、一般的なコンピュータまたは専用コンピュータがアクセス可能な任意の利用可能な媒体であってよい。
【０１００】
本発明の実施形態の目的、技術的解決手段、および有益な効果がさらに、上述の具体的な実装例において詳細に説明されている。上述の説明は、本発明の実施形態の具体的な実装例に過ぎず、本発明の実施形態の保護範囲を限定することを意図しないことを理解されたい。本発明の実施形態の技術的解決手段に基づいて成されたあらゆる変更、等価な置き換え、または改良は、本発明の実施形態の保護範囲に含まれるものとする。
【国際調査報告】
2019510427.tif 000045
2019510427.tif 000046
2019510427.tif 000047
2019510427.tif 000048